(57)【要約】【課題】安価に、しかも信頼性の高いセキュリティシステムを構築することが可能な音響装置を提供する。【解決手段】不在ボタン２１５を通じて不在になることの登録入力がなされると、スピーカが集音手段として動作するように、スイッチ回路ＳＷＬ、ＳＷＲが制御部１００によって切り替えられる。集音手段として動作するようにされたスピーカにより集音された集音音声が、例えばサーバ装置１に送信され、これがサーバ装置１において解析され、その解析結果に基づいて異常の発生を検出し、通報するなどの対応をとるようにする。【選択図】図３
2005328410.tif 000002
【特許請求の範囲】
【請求項１】
拡声手段としての機能と集音手段としての機能とを備えた拡声集音手段と、音声信号の供給を受けて、拡声手段として動作している場合の前記拡声集音手段に供給する再生用の音声信号を形成する音声信号処理手段とを備え、本来、前記拡声集音手段を拡声手段として用いる音響装置であって、
ユーザーが不在となることの登録入力を受け付ける登録受付手段と、
前記拡声集音手段を、拡声手段として動作させるか、集音手段として動作させるかを切り替える切り替え手段と、
前記登録受付手段を通じて前記登録入力を受け付けた場合に、前記拡声集音手段を集音手段として動作させるように前記切り替え手段を切り替える切り替え制御手段と、
前記拡声集音手段が集音手段として動作することにより集音された音声信号を解析する解析手段と、
前記解析手段からの解析結果に基づいて、異常の発生を検出する検出手段と
を備えることを特徴とする音響装置。
【請求項２】
拡声手段としての機能と集音手段としての機能とを備えた拡声集音手段と、音声信号の供給を受けて、拡声手段として動作している場合の前記拡声集音手段に供給する再生用の音声信号を形成する音声信号処理手段とを備え、本来、前記拡声集音手段を拡声手段として用いる音響装置であって、
ユーザーが不在であることを検出するための不在検出手段と、
前記拡声集音手段を、拡声手段として動作させるか、集音手段として動作させるかを切り替える切り替え手段と、
前記不在検出手段によって、ユーザーの不在が検出された場合に、前記拡声集音手段を集音手段として動作させるように前記切り替え手段を切り替える切り替え制御手段と、
前記拡声集音手段が集音手段として動作することにより集音された音声信号を解析する解析手段と、
前記解析手段からの解析結果に基づいて、異常の発生を検出する検出手段と
を備えることを特徴とする音響装置。
【請求項３】
請求項１に記載の音響装置であって、
ユーザーが不在であることを検出するための不在検出手段を備え、
前記切り替え制御手段は、前記不在検出手段によって、ユーザーの不在が検出された場合にも、前記拡声集音手段を集音手段として動作させるように、前記切り替え手段を切り替えることを特徴とする音響装置。
【請求項４】
請求項１に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記登録受付手段と、前記切り替え手段と、前記切り替え制御手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする音響装置。
【請求項５】
請求項２に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記不在検出手段と、前記切り替え手段と、前記切り替え制御手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする音響装置。
【請求項６】
請求項３に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記登録受付手段と、前記切り替え手段と、前記切り替え制御手段と、前記不在検出手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする音響装置。
【請求項７】
請求項１、請求項２、請求項３、請求項４、請求項５または請求項６に記載の音響装置であって、
前記拡声集音手段が集音手段として動作するように、前記切り替え制御手段の制御によって前記切り替え手段が切り替えられた場合に、前記拡声集音手段が集音手段として動作していることをユーザーに通知する通知手段を備えることを特徴とする音響装置。
【請求項８】
請求項１、請求項２、請求項３、請求項４、請求項５または請求項６に記載の音響装置であって、
前記検出手段により、異常の発生が検出された場合に、これを所定の通知先に通知する通信手段を備えることを特徴とする音響装置。
【請求項９】
請求項１、請求項２、請求項３、請求項４、請求項５または請求項６に記載の音響装置であって、
前記検出手段により、異常の発生が検出された場合に、集音された音声信号を所定の記録媒体に記録する音声記録手段を備えることを特徴とする音響装置。
【請求項１０】
請求項１、請求項２、請求項３、請求項４、請求項５または請求項６に記載の音響装置であって、
前記解析手段は、これに供給された集音音声のレベルの検出、当該集音音声のレベルの変化の検出、当該集音音声と予め登録された所定の音声とのパターンマッチング、当該集音音声の移動の有無の検出のうちの少なくとも１つ以上を行うことを特徴とする音響装置。
【請求項１１】
請求項４、請求項５または請求項６に記載の音響装置であって、
前記端末装置が複数ある場合に、
前記サーバ装置は、
前記解析手段によって異常を検出した場合に、予め決められた端末装置に対して、音声の放音要求を形成して送信するようにする放音要求形成手段を備え、
前記端末装置は、
前記放音要求を受信した場合に、前記切り替え制御手段は、前記拡声集音手段を拡声手段として動作するように前記切り替え手段を切り替え、
前記サーバ装置から供給される音声データに応じた、あるいは、自機が保持する音声データに応じた音声を前記拡声集音手段から放音するようにすることを特徴とする音響装置。
【請求項１２】
請求項１、請求項２、請求項３、請求項４、請求項５または請求項６に記載の音響装置であって、
前記拡声集音手段は、少なくとも２つ以上を備え、
前記切り替え手段は、少なくとも２つ以上の前記拡声集音手段のそれぞれ毎に設けられ、
前記切り替え制御手段は、少なくとも２つ以上の前記拡声集音手段のうちの１つを拡声手段とし、他の１つ以上を集音手段とするように切り替えることができるものであり、
拡声手段とされた前記拡声集音手段から音声を放音し、集音手段とされた前記拡声集音手段により音声を集音して、機能のチェックを行うように制御するチェック制御手段を備えることを特徴とする音響装置。
【請求項１３】
スピーカと、音声信号の供給を受けて、前記スピーカに供給する再生用の音声信号を形成する音声信号処理手段とを備えた音響装置を用いた監視方法であって、
ユーザーが不在となることの登録入力を受け付ける登録受付ステップと、
前記登録受付ステップを通じて前記登録入力を受け付けた場合に、前記スピーカを集音手段として動作させるように切り替える切り替えステップと、
前記スピーカが集音手段として動作することにより集音された音声信号を解析する解析ステップと、
前記解析ステップにおいての解析結果に基づいて、異常の発生を検出する検出ステップと
を有することを特徴とする監視方法。
【請求項１４】
スピーカと、音声信号の供給を受けて、前記スピーカに供給する再生用の音声信号を形成する音声信号処理手段とを備えた音響装置を用いた監視方法であって、
ユーザーが不在であることを検出する不在検出ステップと、
前記不在検出ステップにおいて、ユーザーの不在を検出した場合に、前記スピーカを集音手段として動作させるように切り替える切り替えステップと、
前記スピーカが集音手段として動作することにより集音された音声信号を解析する解析ステップと、
前記解析ステップにおいての解析結果に基づいて、異常の発生を検出する検出ステップと
を有することを特徴とする監視方法。
【請求項１５】
請求項１３に記載の監視方法であって、
ユーザーが不在であることを検出するための不在検出ステップを有し、
前記切り替えステップにおいては、前記不在検出ステップにおいてユーザーの不在が検出された場合にも、前記拡声集音手段を集音手段として動作させるように切り替えることを特徴とする監視方法。
【請求項１６】
請求項１３に記載の監視方法であって、
前記音響装置は、少なくとも１つの端末装置と少なくとも１つのサーバ装置とが所定の通信ネットワークを通じて接続されて構成されたものであり、
前記端末装置は、
前記登録受付ステップと、前記切り替えステップと
を実行し、
前記サーバ装置は、
前記解析ステップと、前記検出ステップと
を実行し、
前記端末装置の前記スピーカが集音手段として動作している場合に集音された音声信号を、前記通信ネットワークを通じて前記サーバ装置に送信し、前記サーバ装置において実行される前記解析ステップにおいて解析することを特徴とする監視方法。
【請求項１７】
請求項１４に記載の監視方法であって、
前記音響装置は、少なくとも１つの端末装置と少なくとも１つのサーバ装置とが所定の通信ネットワークを通じて接続されて構成されたものであり、
前記端末装置は、
前記不在検出ステップと、前記切り替えステップと
を実行し、
前記サーバ装置は、
前記解析ステップと、前記検出ステップと
を備え、
前記端末装置の前記スピーカが集音手段として動作している場合に集音された音声信号を、前記通信ネットワークを通じて前記サーバ装置に送信し、前記サーバ装置の前記解析ステップにおいて解析することを特徴とする監視方法。
【請求項１８】
請求項１５に記載の監視方法であって、
前記音響装置は、少なくとも１つの端末装置と少なくとも１つのサーバ装置とが所定の通信ネットワークを通じて接続されて構成されたものであり、
前記端末装置は、
前記登録受付ステップと、前記不在検出ステップと、前記切り替えステップと
を実行し、
前記サーバ装置は、
前記解析ステップと、前記検出ステップと
を実行し、
前記端末装置の前記スピーカが集音手段として動作している場合に集音された音声信号を、前記通信ネットワークを通じて前記サーバ装置に送信し、前記サーバ装置において実行される前記解析ステップおいて解析することを特徴とする監視方法。
【請求項１９】
請求項１３、請求項１４、請求項１５、請求項１６、請求項１７または請求項１８に記載の監視方法であって、
前記スピーカが集音手段として動作するように、前記切り替えステップにおいて切り替えられた場合に、前記スピーカが集音手段として動作していることをユーザーに通知する通知ステップを有することを特徴とする監視方法。
【請求項２０】
請求項１３、請求項１４、請求項１５、請求項１６、請求項１７または請求項１８に記載の監視方法であって、
前記検出ステップにおいて、異常の発生を検出した場合に、これを所定の通知先に通知する通信ステップを有することを特徴とする監視方法。
【請求項２１】
請求項１３、請求項１４、請求項１５、請求項１６、請求項１７または請求項１８に記載の監視方法であって、
前記検出ステップにおいて、異常の発生を検出した場合に、集音された音声信号を所定の記録媒体に記録する音声記録ステップを有することを特徴とする監視方法。
【請求項２２】
請求項１３、請求項１４、請求項１５、請求項１６、請求項１７または請求項１８に記載の監視方法であって、
前記解析ステップにおいては、供給された集音音声のレベル、当該集音音声のレベルの変化、当該集音音声と予め登録された所定の音声とのパターンマッチング、当該集音音声の移動の有無の少なくとも１つ以上を解析することを特徴とする監視方法。
【請求項２３】
請求項１６、請求項１７または請求項１８に記載の監視方法であって、
前記端末装置が複数ある場合に、
前記サーバ装置においては、
前記解析ステップによって異常を検出した場合に、予め決められた端末装置に対して、音声の放音要求を形成して送信するようにする放音要求形成ステップとを備え、
前記端末装置においては、
前記放音要求を受信した場合に、前記切り替え制御手段は、前記拡声集音手段を拡声手段として動作するように前記切り替え手段を切り替え、
前記サーバ装置から供給される音声データに応じた、あるいは、自機が保持する音声データに応じた音声を前記拡声集音手段から放音することを特徴とする監視方法。
【請求項２４】
請求項１３、請求項１４、請求項１５、請求項１６、請求項１７または請求項１８に記載の監視方法であって、
前記スピーカは、少なくとも２つ以上設けられており、
前記切り替えステップにおいては、少なくとも２つ以上の前記スピーカのうちの１つを拡声手段とし、他の１つ以上を集音手段とするように切り替え、
拡声手段とされた前記スピーカから音声を放音し、集音手段とされた前記スピーカにより音声を集音して、機能のチェックを行うように制御するチェック制御ステップを有することを特徴とする監視方法。
【発明の詳細な説明】
【技術分野】
【０００１】
この発明は、例えば、ステレオオーディオ装置、テレビ受像機、パーソナルコンピュータなどの少なくともスピーカを備えて音声信号の再生が可能な音響装置、および、この音響装置を利用して行う監視方法に関する。
【背景技術】
【０００２】
防犯や防災への関心が高まり、個人住宅を対象とする種々のホームセキュリティシステムが開発されて提案されている。例えば、後に記す特許文献１には、不在時に来訪者があった場合であって、その来訪者が予め登録された来訪者である場合にのみ、来訪者があることをインターネットなどの広域ネットワークを通じて、ユーザーの携帯電話端末に通知するシステムが提案されている。また、後に記す特許文献２には、広域ネットワークの１つであるＣＡＴＶ伝送ネットワークを利用し、広域の複数の住戸の状態を監視できるようにするホームセキュリティシステムが提案されている。
【特許文献１】特開２００３−０２３４４１号公報
【特許文献２】特開２００２−３７３３８４号公報
【発明の開示】
【発明が解決しようとする課題】
【０００３】
ところで、ホームセキュリティシステムは、例えば、侵入者を検知するためのいわゆる人感センサー、火災を検出するための温度センサーや煙センサ、ガス漏れを検出するためのガスセンサーなどの種々のセンサーやビデオカメラなどの種々の機器を随所に設けたり、また、カメラ、マイクロフォン、スピーカ、呼び鈴釦などを備えたドアフォンを設けたりしなければならない。
【０００４】
このため、ホームセキュリティシステムは、高価なものとなり、また、ホームセキュリティシステムを構築するための工事も大掛りなものとなる場合がある。そこで、一般の家庭において、多大なコストを掛けることなく、大掛りな工事も必要なく、かつ、信頼性の高いホームセキュリティシステムを構築できるようにすることが望まれている。
【０００５】
以上のことにかんがみ、この発明は、安価に、しかも信頼性の高いセキュリティシステムを構築することが可能な音響装置およびこの音響装置を用いて行う監視方法を提供することを目的とする。
【課題を解決するための手段】
【０００６】
上記課題を解決するため、この発明は、一般の家庭において、各部屋には何らかの音響装置が設置され、不在時においては、これらの音響装置はまったく使用されないものであることに着目してなされたものである。すなわち、一般の家庭においては、テレビ受像機、パーソナルコンピュータ、ＣＤプレーヤなどといったスピーカを備えたなんらかの音響装置が各部屋に存在する場合がほとんどであり、最近では、キッチン、浴室、トイレと言った場所にもテレビ受像機や音楽を流すためのスピーカなどが設置されることも多くなってきている。そして、これらの音響装置はユーザーが不在時においてはまったく使用されていないという事実に着目してなされたものである。
【０００７】
そして、請求項１に記載の発明の音響装置は、
拡声手段としての機能と集音手段としての機能とを備えた拡声集音手段と、音声信号の供給を受けて、拡声手段として動作している場合の前記拡声集音手段に供給する再生用の音声信号を形成する音声信号処理手段とを備え、本来、前記拡声集音手段を拡声手段として用いる音響装置であって、
ユーザーが不在となることの登録入力を受け付ける登録受付手段と、
前記拡声集音手段を、拡声手段として動作させるか、集音手段として動作させるかを切り替える切り替え手段と、
前記登録受付手段を通じて前記登録入力を受け付けた場合に、前記拡声集音手段を集音手段として動作させるように前記切り替え手段を切り替える切り替え制御手段と、
前記拡声集音手段が集音手段として動作することにより集音された音声信号を解析する解析手段と、
前記解析手段からの解析結果に基づいて、異常の発生を検出する検出手段と
を備えることを特徴とする。
【０００８】
この請求項１に記載の音響装置によれば、登録受付手段を通じて不在になることの登録入力がなされると、拡声集音手段が集音手段として動作するように、切り替え制御手段によって切り替え手段が切り替えられる。そして、集音手段として動作するようにされた拡声集音手段により集音された集音音声が解析手段により解析され、その解析結果に基づいて検出手段により異常の発生が検出するようにされる。
【０００９】
これにより、不在時においては、拡声集音手段を集音手段として用いて、この拡声集音手段によって集音された集音音声が解析手段で解析されることにより、異常音の発生などが検出され、これを通知するなどのことができるようにされる。また、在宅時においては、拡声集音手段は、拡声手段、すなわちスピーカとして用いられ、音響装置（音声再生装置）として従来どおり用いることができるようにされる。
【００１０】
また、請求項２に記載の発明の音響装置は、
拡声手段としての機能と集音手段としての機能とを備えた拡声集音手段と、音声信号の供給を受けて、拡声手段として動作している場合の前記拡声集音手段に供給する再生用の音声信号を形成する音声信号処理手段とを備え、本来、前記拡声集音手段を拡声手段として用いる音響装置であって、
ユーザーが不在であることを検出するための不在検出手段と、
前記拡声集音手段を、拡声手段として動作させるか、集音手段として動作させるかを切り替える切り替え手段と、
前記不在検出手段によって、ユーザーの不在が検出された場合に、前記拡声集音手段を集音手段として動作させるように前記切り替え手段を切り替える切り替え制御手段と、
前記拡声集音手段が集音手段として動作することにより集音された音声信号を解析する解析手段と、
前記解析手段からの解析結果に基づいて、異常の発生を検出する検出手段と
を備えることを特徴とする。
【００１１】
この請求項２に記載の発明の音響装置によれば、不在検出手段により、ユーザーが不在になったことが検出された場合に、拡声集音手段が集音手段として動作するように、切り替え制御手段によって切り替え手段が切り替えられる。そして、集音手段として動作するようにされた拡声集音手段により集音された集音音声が解析手段により解析され、その解析結果に基づいて検出手段により異常の発生が検出するようにされる。
【００１２】
これにより、自動的に不在になったことが検出され、不在となったことが検出された後においては、拡声集音手段を集音手段として用いて、拡声集音手段によって集音された集音音声が解析手段で解析されることにより、異常音の発生などが検出され、これを通知するなどのことができるようにされる。また、在宅時においては、拡声集音手段は、拡声手段、すなわちスピーカとして用いられ、音響装置（音声再生装置）として従来どおり用いることができるようにされる。
【００１３】
また、請求項３に記載の発明の音響装置は、請求項１に記載の音響装置であって、
ユーザーが不在であることを検出するための不在検出手段を備え、
前記切り替え制御手段は、前記不在検出手段によって、ユーザーの不在が検出された場合にも、前記拡声集音手段を集音手段として動作させるように、前記切り替え手段を切り替えることを特徴とする。
【００１４】
この請求項３に記載の発明の音響装置によれば、登録受付手段を通じて不在になることの登録入力がなされた場合、または、不在検出手段により、ユーザーが不在になったことが検出された場合に、拡声集音手段が集音手段として動作するように、切り替え制御手段によって切り替え手段が切り替えられる。そして、集音手段として動作するようにされた拡声集音手段により集音された集音音声が解析手段により解析され、その解析結果に基づいて検出手段により異常の発生が検出するようにされる。
【００１５】
これにより、ユーザーは登録受付手段を通じて不在登録を行った場合と、不在検出手段により、ユーザーが不在になったことが検出された場合とのいずれの場合においても、拡声集音手段を集音手段として用い、拡声集音手段によって集音された集音音声が解析手段で解析することにより、異常音の発生などを検出し、これを通知するなどのことができるようにされる。また、在宅時においては、拡声集音手段は、拡声手段、すなわちスピーカとして用いられ、音響装置（音声再生装置）として従来どおり用いることができるようにされる。
【００１６】
また、請求項４、請求項５、請求項６に記載の音響装置は、端末装置とサーバ装置とにより構成されるものである。
【００１７】
すなわち、請求項４に記載の発明の音響装置は、請求項１に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記登録受付手段と、前記切り替え手段と、前記切り替え制御手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする。
【００１８】
また、請求項５に記載の発明の音響装置は、請求項２に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記不在検出手段と、前記切り替え手段と、前記切り替え制御手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする。
【００１９】
また、請求項６に記載の発明の音響装置は、
請求項３に記載の音響装置であって、
少なくとも１つの端末装置と少なくとも１つのサーバ装置とが所定の通信ネットワークを通じて接続されて構成されたものであり、
前記端末装置は、
前記拡声集音手段と、前記音声信号処理手段と、前記登録受付手段と、前記切り替え手段と、前記切り替え制御手段と、前記不在検出手段と
を備え、
前記サーバ装置は、
前記解析手段と、前記検出手段と
を備え、
前記端末装置の前記拡声集音手段が集音手段として動作している場合に集音された音声信号を、前記通信ネットワークを通じて前記サーバ装置に送信し、前記サーバ装置の前記解析手段により解析することを特徴とする。
【００２０】
この請求項４、請求項５、請求項６に記載の発明の音響装置によれば、当該音響装置は、端末装置とサーバ装置とが所定のネットワークを通じて接続されて構成される。そして、端末装置の拡声集音手段によって集音された集音音声は、所定のネットワークを通じてサーバ装置の解析手段に供給され解析処理がなされる。
【００２１】
これにより、不在時の音声の監視処理は、端末装置側において集音した集音音声をサーバ装置の機能を用いて解析することにより行うので、端末装置の負荷を大きくすることなく、サーバ装置の機能を用いて、集音音声についての詳細な解析を行って、異常の発生などを検知することができるようにされる。また、各部屋に端末装置を配置し、これを１つのサーバ装置とネットワークを通じて接続することによって、音声による各部屋の監視を各部屋に設置される端末装置を通じて行うことができるようにされる。
【００２２】
また、請求項７に記載の発明の音響装置は、請求項１、請求項２、請求項３、請求項４、請求項５または請求項６に記載の音響装置であって、
前記拡声集音手段が集音手段として動作するように、前記切り替え制御手段の制御によって前記切り替え手段が切り替えられた場合に、前記拡声集音手段が集音手段として動作していることをユーザーに通知する通知手段を備えることを特徴とする。
【００２３】
この請求項７に記載の発明の音響装置によれば、ユーザーが不在となり、拡声集音手段が集音手段となった場合には、これが通知手段を通じてユーザーに対して通知するようにされる。
【００２４】
これにより、例えば、帰宅時において、音響装置の拡声集音手段が集音手段として用いられている状態（監視動作状態）をユーザーに確実に通知し、その状態を解除して、通常の動作状態（音声再生状態）に戻すことができるようにされる。これにより、ユーザーのプライバシーが不当に害される場合が発生することを防止することができるようにされる。
【００２５】
また、請求項８に記載の発明の音響装置は、請求項１、請求項２、請求項３、請求項４、請求項５または請求項６に記載の音響装置であって、
前記検出手段により、異常の発生が検出された場合に、これを所定の通知先に通知する通信手段を備えることを特徴とする。
【００２６】
この請求項８に記載の発明の音響装置によれば、検出手段により異常が検出された場合には、通信手段により、予め決められている通知先、例えば、ユーザーの携帯電話端末などに異常が発生したことを通知することができるようにされる。これにより、ユーザーは、異常の発生を迅速に知り、適切な対応を取ることができるようにされる。
【００２７】
また、請求項９に記載の発明は、請求項１、請求項２、請求項３、請求項４、請求項５または請求項６に記載の音響装置であって、
前記検出手段により、異常の発生が検出された場合に、集音された音声信号を所定の記録媒体に記録する音声記録手段を備えることを特徴とする。
【００２８】
この請求項９に記載の発明の音響装置によれば、検出手段により異常が検出された場合には、集音された音声信号が所定の記録媒体に記録するようにされる。これにより、異常発生時において集音した集音音声を後で聴取し、状況を知るなどことに役立てることができるようにされる。
【００２９】
また、請求項１０に記載の音響装置は、請求項１、請求項２、請求項３、請求項４、請求項５または請求項６に記載の音響装置であって、
前記解析手段は、これに供給された集音音声のレベルの検出、当該集音音声のレベルの変化の検出、当該集音音声と予め登録された所定の音声とのパターンマッチング、当該集音音声の移動の有無の検出のうちの少なくとも１つ以上を行うことを特徴とする。
【００３０】
この請求項１０に記載の発明の音響装置によれば、解析手段においては、集音音声のレベルの検出、当該集音音声のレベルの変化の検出、当該集音音声と予め登録された所定の音声とのパターンマッチング、当該集音音声の移動の有無の検出の１つ以上が用いられて週音音声の解析が行われる。これにより、集音音声の解析を適切に行って、異常の検出を行うことができるようにされる。
【００３１】
また、請求項１１に記載の音響装置は、請求項４、請求項５または請求項６に記載の音響装置であって、
前記端末装置が複数ある場合に、
前記サーバ装置は、
前記解析手段によって異常を検出した場合に、予め決められた端末装置に対して、音声の放音要求を形成して送信するようにする放音要求形成手段を備え、
前記端末装置は、
前記放音要求を受信した場合に、前記切り替え制御手段は、前記拡声集音手段を拡声手段として動作するように前記切り替え手段を切り替え、
前記サーバ装置から供給される音声データに応じた、あるいは、自機が保持する音声データに応じた音声を前記拡声集音手段から放音するようにすることを特徴とする。
【００３２】
この請求項１１に記載の音響装置によれば、音響装置が複数の端末装置とサーバ装置とで構成されている場合であって、サーバ装置の検出手段により異常が検出された場合に、放音要求形成手段により放音要求が形成され、端末装置の１つに対して送信するようにされる。放音要求を受信した端末装置においては、切り替え制御手段によって、拡声集音手段が拡声手段として用いられるように切り替え手段が切り替えられる。そして、当該端末装置の拡声集音手段から音声を放音する。この場合、その他の端末装置の拡声集音手段は、集音手段として用いられるようにされた状態のままとされる。
【００３３】
これにより、放音要求を受信した端末装置からの放音音声に反応して、異常音が移動したか否かを、その他の端末装置において集音した集音音声に基づいて検出することによって、侵入者が侵入して異常音を発生した場合などをより確実に検出することができるようにされる。
【００３４】
また、請求項１２に記載の音響装置は、請求項１、請求項２、請求項３、請求項４、請求項５または請求項６に記載の音響装置であって、
前記拡声集音手段は、少なくとも２つ以上を備え、
前記切り替え手段は、少なくとも２つ以上の前記拡声集音手段のそれぞれ毎に設けられ、
前記切り替え制御手段は、少なくとも２つ以上の前記拡声集音手段のうちの１つを拡声手段とし、他の１つ以上を集音手段とするように切り替えることができるものであり、
拡声手段とされた前記拡声集音手段から音声を放音し、集音手段とされた前記拡声集音手段により音声を集音して、機能のチェックを行うように制御するチェック制御手段を備えることを特徴とする音響装置。
【００３５】
この請求項１２に記載の音響装置によれば、音響装置の拡声集音手段は、例えば、ステレオ２チャンネル（左チャンネル、右チャンネル）のように、複数のチャンネルに対応して複数存在するようにされており、チェック制御手段により、１つの拡声集音手段を拡声手段とし、その他を集音手段として、放音と集音とが適正に行われているか否かの自己チェックを行うことができるようにされる。
【００３６】
これにより、音響装置の拡声機能と集音機能とが正常に動作しているか否かを他の機器を用いることなく、自己完結的に行うことができるようにされ、拡声機能や集音機能に不具合が生じた場合には、これを確実かつ迅速に検出してユーザーに通知するなどし、適切な対応をとることができるようにされる。したがって、信頼性の高い音響装置を実現することができる。
【発明の効果】
【００３７】
この発明によれば、不在時においては、音響装置の拡声集音手段を集音手段として用い、拡声集音手段によって集音された集音音声が解析手段で解析することにより、異常音の発生などを検出し、これを通知するなどのことができるようにされる。すなわち、発生する音を利用するセキュリティシステムを実現することができる。しかも、在宅時においては、音響装置を従来どおりの音声再生装置として用いることができ、本来の音声再生装置としての機能を損なうこともない。
【００３８】
また、不在時の音声による異常検出を行うために、集音手段を別途追加するなどのこともなく、集音した音声によって異常の検出を行うことが可能な装置を安価に構成することができる。
【００３９】
また、ネットワークを通じて接続される端末装置とサーバ装置とにより音響装置を構成する場合には、複数の部屋を一元的に管理することができ、各端末装置の負荷を増大させることなく、集音した音声によって異常の検出を行うことが可能な装置を構成することができる。
【００４０】
また、集音音声の解析は、レベル、レベルの変化の状態、予め登録された音声とのパターンマッチング、集音音声の移動の状態などに基づいて、きめ細かく行うことが可能であり、集音した音声による異常の検出を信頼性高く行うことができる。
【００４１】
また、放音機能と集音機能との自己チェック機能を備えているので、放音機能や集音機能に故障などの障害が発生しても、これを確実に検出して、適正に対処することができる。
【発明を実施するための最良の形態】
【００４２】
以下、図を参照しながらこの発明の装置、方法の一実施の形態について説明する。以下に説明する実施の形態においては、家庭内において、各部屋に設置されるクライアント装置と、所定の部屋に設置されるサーバ装置とがネットワークを通じて接続されて構成されるホームネットワークシステムに、この発明による装置、方法を適用した場合を例にして説明する。
【００４３】
［ホームネットワークシステムについて］
図１は、この実施の形態のホームネットワークシステムを説明するための図である。家屋内の所定の場所に設置されるサーバ装置１と、家屋内の各部屋に設置されるクライアント装置２（１）、２（２）、２（３）、２（４）のそれぞれは、ハブ（図１においてはＨＵＢと記載。）３を通じて接続され、ＬＡＮ（Local Area Network）を形成している。ハブ３には、ルータ４が接続され、このルータ４を通じて、このホームネットワークシステムを構成する機器、例えばサーバ装置１が電話網やインターネット網などの広域ネットワークにも接続することができるようにしている。
【００４４】
サーバ装置１は、詳しくは後述もするが、音楽データ（楽曲データ）を保持する大容量のハードディスクドライブ１１５を備え、各クライアント装置２（１）、２（２）、２（３）、２（４）からの要求に応じて、要求された音楽データを要求元のクライアント装置に提供することができるものである。
【００４５】
クライアント装置２（１）、２（２）、２（３）、２（４）のそれぞれは、同様の構成のものであり、詳しくは後述もするように、ユーザーからの指示に応じた音楽データの提供要求を形成してサーバ装置１に送信し、当該提供要求に応じた音楽データの提供をサーバ装置１から受けて、これを再生処理して、当該音楽データに応じた音楽を自機が備えるスピーカから放音することができるものである。
【００４６】
このため、各クライアント装置２（１）、２（２）、２（３）、２（４）のぞれぞれは、図１にも示したように、少なくとも左チャンネルと右チャンネルの２チャンネルのスピーカを備えたものである。すなわち、図１に示したように、クライアント装置２（１）は、左チャンネルスピーカＬ（１）、右チャンネルスピーカＲ（１）を備え、クライアント装置２（２）は、左チャンネルスピーカＬ（２）、右チャンネルスピーカＲ（２）を備え、クライアント装置２（３）は、左チャンネルスピーカＬ（３）、右チャンネルスピーカＲ（３）を備え、クライアント装置２（４）は、左チャンネルスピーカＬ（４）、右チャンネルスピーカＲ（４）を備えている。
【００４７】
このように、この実施の形態のホームネットワークシステム（ＬＡＮシステム）においては、各クライアント装置２（１）、２（２）、２（３）、２（４）のそれぞれと、サーバ装置１とによって音響装置（音楽再生装置）を構成している。そして、サーバ装置１のハードディスクドライブ１１５には、例えば、インターネットを通じて提供された音楽データや自己のＣＤ（Compact Disc）などから取り込んだ音楽データなどが多数蓄積されており、どの部屋のクライアント装置を用いても、サーバ装置１が蓄積している音楽データの内から目的とする音楽データの提供を受けて、これを再生して聴取することができるようにしている。
【００４８】
さらに、この実施の形態のホームネットワークシステムにおいては、ユーザーの不在時においては、各クライアント装置２（１）、２（２）、２（３）、２（４）のそれぞれと、サーバ装置１とが協動することにより、監視システム（ホームセキュリティシステム）として機能するようにしている。
【００４９】
すなわち、ユーザーの不在時においては、各クライアント装置２（１）、２（２）、２（３）、２（４）のそれぞれのスピーカＬ（１）、Ｒ（１）、Ｌ（２）、Ｒ（２）、Ｌ（３）、Ｒ（３）、Ｌ（４）、Ｒ（４）を、スピーカ本来の機能である拡声手段として用いるのではなく、逆の機能、すなわち集音手段として機能させるようにする。
【００５０】
そして、集音手段とされたスピーカによって集音された集音音声を解析し、この解析結果に基づいて、異常の発生を検出することができるようにしている。ここで異常の発生は、例えば、不審者の侵入、窓ガラスの破壊、火事や地震の発生などさ、誰もいない家屋内において、通常では発生しない音が発生し、これを検出した場合に、異常が発生したと判断して、外出しているユーザーの携帯電話端末や予め登録された通報先に、広域ネットワークを通じて通報することができるようにしている。
【００５１】
つまり、この実施の形態のホームネットワークシステムは、ユーザーが不在で音声データの再生機能が用いられることがない場合には、スピーカを集音手段として用いて周囲の音声を集音し、この集音音声を解析することにより異常を検出する監視システムと機能するようにしている。
【００５２】
［サーバ装置の構成例について］
次に、この実施の形態のホームネットワークシステムで用いられるサーバ装置１の構成例について説明する。図２は、この実施の形態のホームネットワークシステムで用いられるサーバ装置１の構成例を説明するためのブロック図である。
【００５３】
図２に示すように、この実施の形態のサーバ装置１は、制御部１００、キーインターフェース（以下、キーＩ／Ｆと略称する。）１１１、キー操作部１１２、通信インターフェース（以下、通信Ｉ／Ｆと略称する。）１１３、ハードディスクドライブ（以下、ＨＤＤ略称する。）１１４、１１５を備えたものである。
【００５４】
制御部１００は、図２に示したように、ＣＰＵ（Central Processing Unit）１０１、ＲＯＭ（Read Only Memory）１０２、ＲＡＭ（Random Access Memory）１０３、ＥＥＰＲＯＭ（Electrically Erasable and Programmable ROM）１０４が、ＣＰＵバス１０５を通じて接続されて形成されたマイクロコンピュータであり、サーバ装置１の各部を制御するものである。
【００５５】
ここで、ＲＯＭ１０２は、処理プログラムや必要なデータなどが記録されたものであり、ＲＡＭ１０３は、主に作業領域として用いられるものである。ＥＥＰＲＯＭ１０４は、いわゆる不揮発性メモリーであり、サーバ装置１の電源が落とされても保持しておくべきデータ、例えば、各種の設定情報やパラメータなどを記憶保持するものである。また、ＣＰＵ１０１は、いうまでもなく、プログラムを実行し、データを受け取り、演算し、加工し、メモリーに記録したり、また各部を制御したりするなど、制御部１００の制御処理の中心となるものである。
【００５６】
キーＩ／Ｆ１１１、キー操作部１１２は、ユーザーからの操作入力を受け付けるものである。キー操作部１１２は、アルファベットキー、数字キー、各種ファンクションキーを備え、これら種々の操作キーを通じてユーザーからの操作入力を受け付け、受け付けた操作入力に応じた電気信号をキーＩ／Ｆ１１１に供給する。
【００５７】
キーＩ／Ｆ１１１は、キー操作部１１２からの電気信号から制御部１００に供給する形式の入力信号を形成し、これを制御部１００に供給する。これにより、制御部１００は、キー操作部１１２を通じて受け付けたユーザーからの操作入力に応じて、各部を制御することができるようにされる。
【００５８】
通信Ｉ／Ｆ１１３は、ホームネットワークを通じて通信を行うための部分であり、ホームネットワークを通じて送信されてくる自機宛のデータを受信して、これを自機が処理可能な形式のデータに変換し、変換後のデータを制御部１００に供給する。また、通信Ｉ／Ｆ１１３は、制御部１００を通じて供給されるデータであって、同じホームネットワークに接続されているクライアント装置やハブなどに対して送信する制御データや各種の要求、あるいは、音楽データなどを、このホームネットワークに送出する形式の信号に変換して、これをホームネットワーク通じて、目的とする機器に送信する。
【００５９】
ＨＤＤ１１４は、この実施の形態のサーバ装置１１４を機能させるために必要になる各種の処理プログラムやデータを記憶保持しているものである。ＨＤＤ１１４に記憶保持されているプログラムやデータは、必要に応じて制御部１００により読み出され利用することができるようにされる。また、ＨＤＤ１１５は、上述もしたように、種々の楽曲の音楽データを記憶保持するものである。
【００６０】
この実施の形態においては、サーバ装置１を機能させるための種々のプログラムやデータなどが記憶保持されたＨＤＤ１１４と、種々の音楽データが記憶保持されたＨＤＤ１１５とを設けるようにしたが、これに限るものではなく、１つのＨＤＤの記憶領域をシステム格納領域とコンテンツ格納領域とに分けて用いるようにしてもよいし、２つ以上の異なるＨＤＤを用いるようにすることも可能である。
【００６１】
なお、図示しないが、サーバ装置１には、例えば、比較的に大きな表示画面を有するＬＣＤが接続することができるようにされ、制御部１００の制御によって、ガイダンス情報やエラー情報などをユーザーに対して表示情報として提供することができるものである。また、図示しないが、サーバ装置１には、外部入出力端子が設けられ、外部機器からの情報、例えば、音楽データの供給を受けて、ＨＤＤ１１５に格納するなどのこともできるようにされる。
【００６２】
また、サーバ装置１は、上述もしたように、ルータ４、ハブ３を通じてインターネットに接続し、インターネット上の各種のサーバ装置から有料あるいは無料で音楽データをダウンロードしてきてＨＤＤ１１５に格納したり、図示しない外部入出力端子を通じて供給される外部機器からの音楽データをＨＤＤ１１５に格納したりすることができるものである。
【００６３】
そして、通信Ｉ／Ｆ１１３を通じて、いずれかのクライアント装置から音楽データの提供要求を受信した場合には、制御部１００は、要求された音楽データをＨＤＤ１１５から読み出し、これを通信Ｉ／Ｆ１１３に供給して、目的とするクライアント装置に送信する形式の音楽データ（送信信号）を形成し、これをホームネットワークを通じて、目的とするクライアント装置に対して送信することができるようにしている。
【００６４】
また、通信Ｉ／Ｆ１１３を通じて、クライアント装置２（１）、２（２）、２（３）、２（４）からの集音音声（デジタルデータ）を受信したときには、制御部１００は、これを解析し、異常音が発生したか否かに応じて、異常の発生を検知することができるようにしている。そして、異常の発生を検知したときには、通信Ｉ／Ｆ１１３、および、ハブ３、ルータ４を通じて、広域通信網に接続し、予め登録されたユーザーの携帯電話端末などの所定の通報先に異常の発生を通報することができるようにしている。
【００６５】
このように、この実施の形態のサーバ装置１は、音楽データの提供を受けて、これをＨＤＤ１１５に書き込んで蓄積することができるとともに、同じホームネットワークシステムに接続されたクライアント装置２（１）、２（２）、２（３）、２（４）からの要求に応じて、要求元のクライアント装置に対して、音楽データを送信（提供）することもできるものである。
【００６６】
したがって、サーバ装置１は、例えば、ホームネットワークを通じて電話網やインターネットに接続して各種のデータをダウンロードしたり、クライアント装置２（１）、２（２）、２（３）、２（４）からの要求に応じて、自機が蓄積している音楽データを配信したりすることができるものである。
【００６７】
さらに、サーバ装置１は、図１に示したように、セキュリティ機能を備えており、上述したように、各クライアント装置２（１）、２（２）、２（３）、２（４）から送信されてくる音声データ（集音音声）を解析し、この解析結果に基づいて、異常が発生しているか否かを検出し、異常が発生していることを検出した場合には、これを予め登録されているユーザーの携帯電話端末などの通報先に異常の発生を通報することができるようにしている。
【００６８】
［クライアント装置の構成例について］
次に、この実施の形態のホームネットワークシステムで用いられるクライアント装置２（１）、２（２）、２（３）、２（４）の構成例について説明する。なお、この実施の形態のホームネットワークシステムで用いられるクライアント装置２（１）、２（２）、２（３）、２（４）のそれぞれは、同様の構成を有するものである。このため、ここでは、クライアント装置２（１）、２（２）、２（３）、２（４）のそれぞれを、クライアント装置２として説明することとする。
【００６９】
図３は、この実施の形態のホームネットワークシステムで用いられるクライアント装置２の構成例を説明するためのブロック図である。図３に示すように、この実施の形態のクライアント装置２は、制御部２００、キーＩ／Ｆ２１１、キー操作部２１２、センサーインターフェース２１３、人感センサー２１４、不在切り替えボタンスイッチ（以下、不在ボタンという。）２１５、ＬＥＤ（Light Emitting Diode）ドライバ２１６、ＬＥＤ２１７、通信Ｉ／Ｆ２２１、ＤＳＰ（Digital Signal Processor）２２２、Ｄ／Ａ（Digital/Analog）変換器２２３（Ｌ）、２２３（Ｒ）、Ａ／Ｄ（Analog/Digital）変換器２２４（Ｌ）、２２４（Ｒ）、スイッチ回路ＳＷＬ、ＳＷＲ、左チャンネルスピーカＬ、右チャンネルスピーカＲを備えたものである。
【００７０】
制御部２００は、図３に示したように、ＣＰＵ２０１、ＲＯＭ２０２、ＲＡＭ２０３、ＥＥＰＲＯＭ２０４が、ＣＰＵバス２０５を通じて接続されて形成されたマイクロコンピュータであり、クライアント装置２の各部を制御するものである。
【００７１】
ここで、ＲＯＭ２０２は、処理プログラムや必要なデータなどが記録されたものであり、ＲＡＭ２０３は、主に作業領域として用いられるものである。ＥＥＰＲＯＭ２０４は、いわゆる不揮発性メモリーであり、クライアント装置２の電源が落とされても保持しておくべきデータ、例えば、各種の設定情報やパラメータなどを記憶保持するものである。また、ＣＰＵ２０１は、いうまでもなく、プログラムを実行し、データを受け取り、演算し、加工し、メモリーに記録したり、また各部を制御したりするなど、制御部２００の制御処理の中心となるものである。
【００７２】
キーＩ／Ｆ２１１、キー操作部２１２は、ユーザーからの操作入力を受け付けるものである。キー操作部２１２は、例えば、数字キー、各種ファンクションキーを備え、これら種々の操作キーを通じてユーザーからの操作入力を受け付け、受け付けた操作入力に応じた電気信号をキーＩ／Ｆ２１１に供給する。
【００７３】
キーＩ／Ｆ２１１は、キー操作部２１２からの電気信号から制御部２００に供給する形式の入力信号を形成し、これを制御部２００に供給する。これにより、制御部２００は、キー操作部２１２を通じて受け付けたユーザーからの操作入力に応じて、各部を制御することができるようにされる。
【００７４】
人感センサー２１４は、ユーザーの在／不在を検出し、少なくとも不在になったことを検出した場合に、これをセンサーＩ／Ｆ２１３を通じて制御部２００に通知する。センサーＩ／Ｆ２１３は、人感センサー２１４と制御部２００とを結びつけるものであり、人感センサーからの検出結果を制御部２００が処理可能な形式の信号に変換し、これを上述のように制御部２００に供給するものである。
【００７５】
なお、この実施の形態において、人感センサー２１４は、人体が放射する赤外線を検出することにより、クライアント装置２が設置された部屋に人間（ユーザー）がいるかいないかを検出することが可能なものである。
【００７６】
不在ボタン２１５は、ユーザー自身の操作により、在／不在を切り替えるものであり、いわゆるトグル動作で操作するごとに在宅モードと不在モードとを切り替えることができるものである。この実施の形態のクライアント装置２においては、不在ボタン２１５がオン状態にあるときには「不在モード」となり、不在ボタン２１５がオフ状態にあるときには「在宅モード」となるようにされる。すなわち、不在ボタン２１５は、ユーザーから不在となることの登録を受け付ける登録受付手段としての機能を有するものである。
【００７７】
ＬＥＤ２１７は、制御部２００によって制御されるＬＥＤドライバ２１６により、点灯、消灯が制御されるものであり、この実施の形態のクライアント装置２においては、クライアント装置２が不在モードとなっている場合に、これを通知するため点灯するようにされる。
【００７８】
通信Ｉ／Ｆ２２１は、ホームネットワークを通じて通信を行うための部分であり、ホームネットワークを通じて送信されてくる自機宛のデータを受信して、これを自機が処理可能な形式のデータに変換し、変換したデータが音楽データである場合には、これをＤＳＰ２２２に供給し、変換したデータがクライアント装置２に対する制御データなどである場合には、これを制御部２００に供給する。
【００７９】
また、通信Ｉ／Ｆ２２１は、制御部２００から供給される、例えばサーバ装置１に対する音楽データの送信要求（リクエスト）や、詳しくは後述するが、クライアント装置２が集音し、サーバ装置１に送信する集音音声などを、ホームネットワークを通じて送信可能な送信用のデータに変換し、これをホームネットワークに送出して、目的とする相手先に送信する。このように、通信Ｉ／Ｆ２２１は、ホームネットワークを通じて通信を行うためのものである。
【００８０】
ＤＳＰ２２２は、いわゆる音声信号処理部であり、通信Ｉ／Ｆ２２１を通じて受信したサーバ装置１からの自機宛の音楽データの供給を受け、これを例えば圧縮解凍するなどのいわゆるデコード処理を行うとともに、ヘッダに付加された種々の情報に応じて、左右２チャンネルの音声データに分離し、種々の音声信号処理を行って、再生用の左チャンネル用の音声データと右チャンネル用の音声データとを形成し、左チャンネル用の音声データをＤ／Ａ変換器２２３（Ｌ）に、右チャンネル用の音声データをＤ／Ａ変換器２２３（Ｒ）に供給する。
【００８１】
また、ＤＳＰ２２２は、後述もするように、Ａ／Ｄ変換器２２４（Ｌ）、２２４（Ｒ）からの音声データ（デジタルデータ）の供給を受け、所定の圧縮方式に従って、データ圧縮するなどのいわゆるエンコード処理を行い、エンコードした音声データを通信Ｉ／Ｆ２２１に供給する。
【００８２】
そして、図３に示すように、この実施の形態のクライアント装置２は、左右２チャンネルのスピーカＬ、Ｒを備えている。スピーカＬ、Ｒのそれぞれは、単に拡声手段として用いられるだけでなく、集音手段としても用いられるものである。すなわち、この実施の形態のクライアント装置２が備えるスピーカＬ、Ｒは、拡声集音手段としての機能を有し、ユーザーの在宅時と不在時とで、その機能が切り替えられる。
【００８３】
この拡声集音手段といてのスピーカＬ、Ｒの機能の切り替えのために、スイッチ回路ＳＷＬ、ＳＷＲが設けられている。すなわち、スピーカＬ、Ｒを拡声手段として用いる場合には、スイッチ回路ＳＷＬ、ＳＷＲを接続端ａ側に切り替え、スピーカＬ、Ｒを集音手段として用いる場合には、スイッチ回路ＳＷＬ、ＳＷＲを接続端ｂ側に切り替える。
【００８４】
このスイッチ回路ＳＷＬ、ＳＷＲの切り替え制御は、制御部２００によって行われる。具体的には、不在ボタンがオン状態ではなく、かつ、人感センサー２１４によってユーザーの不在が検出されていない場合、すなわち、ユーザーが在宅である場合には、スイッチ回路ＳＷＬ、ＳＷＲは、接続端ａ側に切り替えられた状態とされる。
【００８５】
この場合には、上述したように、通信Ｉ／Ｆ２２１を通じて受け付けたサーバ装置１からの音楽データであって、ＤＳＰ２２２で処理されて形成された左チャンネル用の音声データがＤ／Ａ変換器２２３（Ｌ）に供給され、右チャンネル用の音声データがＤ／Ａ変換器２２３（Ｒ）に供給される。Ｄ／Ａ変換器２２３（Ｌ）、２２３（Ｒ）のそれぞれにおいては、これらに供給されたデジタルデータである音声データをアナログ音声信号に変換して、これを出力する。
【００８６】
そして、Ｄ／Ａ変換器２２３（Ｌ）からのアナログ音声信号は、スイッチ回路ＳＷＬを通じてスピーカＬに供給され、左チャンネル用の音声データに応じた音声が、スピーカＬから放音される。同様に、Ｄ／Ａ変換器２２３（Ｒ）からのアナログ音声信号は、スイッチ回路ＳＷＲを通じてスピーカＲに供給され、右チャンネル用の音声データに応じた音声が、スピーカＲから放音される。
【００８７】
また、不在ボタンがオン状態とされた場合、または、人感センサー２１４によってユーザーの不在が検出された場合、すなわち、ユーザーが不在である場合には、スイッチ回路ＳＷＬ、ＳＷＲは、接続端ｂ側に切り替えられた状態とされる。この場合には、スピーカＬ、Ｒは、集音手段として用いられるようにされる。
【００８８】
そして、集音手段とされたスピーカＬは、音声を集音して電気信号に変換し、これをＡ／Ｄ変換器２３４（Ｌ）に供給し、同様に、集音手段とされたスピーカＲは、音声を集音して電気信号に変換し、これをＡ／Ｄ変換器２３４（Ｒ）に供給する。Ａ／Ｄ変換器２３４（Ｌ）、２３４（Ｒ）のそれぞれは、供給されたアナログ音声信号をデジタル音声データに変換し、これをＤＳＰ２２２に供給する。上述もしたように、ＤＳＰ２２２は、Ａ／Ｄ変換器２３４（Ｌ）、２３４（Ｒ）からの音声データをデータ圧縮するなどし、通信Ｉ／Ｆ２１１を通じてサーバ装置１に送信する。
【００８９】
そして、上述もしたように、サーバ装置１においては、クライアント装置２からの集音音声（デジタルデータ）を受信して解析し、異常の発生を検知するようにし、異常の発生を検知した場合には、予め登録されているユーザーの携帯電話端末などの通報先に異常の発生を通報することができるようにしている。
【００９０】
なお、この実施の形態のクライアント装置２において、不在ボタン２１５がオン状態にされている場合、あるいは、人感センサー２１４を通じてユーザーの不在が検出された場合には、上述もしたように、スイッチ回路ＳＷＬ、ＳＷＲは、接続端ｂ側に切り替えられることにより、不在モードとなった場合には、これを通知するため、制御部２００は、ＬＥＤドライバ２１６を制御し、ＬＥＤ２１７を点灯させる。これにより、スピーカＬ、Ｒが集音手段すなわちマイクロフォン状態となっていることをユーザーがわかるようにしておき、集音によりプライバシーが害されることを防止することができるようにしている。
【００９１】
また、スイッチ回路ＳＷＬ、ＳＷＲは、通常は在宅モードされ、接続端ａ側に切り替えられている。ただし、クライアント装置２への電源投入時や切断時においては、スピーカＬ、Ｒからのクリックノイズを防ぐ意味で、在宅モード時においても、ごく短時間、接続端ｂ側に切り替えるようにしている。
【００９２】
このように、この実施の形態のクライアント装置２は、ユーザーの在宅時においては、サーバ装置１からの音声データに応じた音声を放音する音声再生装置として機能し、ユーザーの不在時においては、音声を集音してこの集音音声をサーバ装置１に送信することにより、異常の検出を行うようにする監視装置としての機能をも有するものである。
【００９３】
［ホームネットワークシステムの動作］
次に、図２に示した構成を有するサーバ装置１と、図３に示した構成を有するクライアント装置２とにより、図１に示したように構成されるこの実施の形態のホームネットワークシステムの動作について、サーバ装置１とクライアント装置２との動作に分けて説明する。
【００９４】
［クライアント装置２の動作について］
図４は、この実施の形態のクライアント装置２の動作を説明するためのフローチャートである。クライアント装置２の制御部２００は、電源が投入されると、図４に示す処理を実行する。通常、電源が入れられた直後においては、ユーザーが不在であることはないので、クライアント装置２は在宅モードの状態となり、クライアント装置２のスイッチ回路ＳＷＬ、ＳＷＲは、接続端ａ側に切り替えられた状態となり、制御部２００の制御により人感センサー２１４を通じてのユーザーの在／不在の検出を開始する（ステップＳ１０１）。
【００９５】
そして、制御部２００は、人感センサー２１４を通じて、ユーザーの不在を検出したか否かを判断する（ステップＳ１０２）。具体的には、制御部２００は、人感センサー２１４を通じて、ユーザーが不在となり、所定時間経過してもユーザーが戻ってこない場合（ユーザーが不在である時間が所定時間以上継続した場合）に、ユーザーが不在であると判断する。
【００９６】
ステップＳ１０２の判断処理において、ユーザーは不在でないと判断したときには、制御部２００は、不在ボタン２１５がオン状態となるように操作されたか否かを判断する（ステップＳ１０３）。ステップＳ１０３の判断処理において、不在ボタン２１５がオン状態となるように操作されていないと判断したときには、制御部２００は、キー操作部２１２を通じて、音楽データ（コンテンツ）の再生を要求するキー入力（操作入力）を受け付けたか否かを判断する（ステップＳ１０４）。
【００９７】
ステップＳ１０４の判断処理において、音楽データの再生を要求するキー入力を受け付けていないと判断したときには、制御部２００は、ステップＳ１０１からの処理を繰り返す。ステップＳ１０４の判断処理において、音楽データの再生を要求するキー入力を受け付けたと判断したときには、制御部２００は、ユーザーによって指示された音楽データの提供要求を形成し、これを通信Ｉ／Ｆ２１１を通じてサーバ装置１に送信する（ステップＳ１０５）。
【００９８】
そして、ステップＳ１０５において送信した音楽データの提供要求に応じて、サーバ装置１から送信されてくる音楽データを、上述もしたように通信インターフェース２１１を通じて受け付け、これをＤＳＰ２２２、Ｄ／Ａ変換器２２３（Ｌ）、２２３（Ｒ）、スイッチ回路ＳＷＬ、ＳＷＲを通じてスピーカＬ、Ｒに供給するようにして、サーバ装置１からの音楽データに応じた音楽（音声）が、スピーカＬ、Ｒを通じて放音するようにする（ステップＳ１０６）。この後、ステップＳ１０１からの処理が繰り返す。
【００９９】
なお、ここでは説明を簡単にするため、図４においては省略したが、ステップＳ１０４において受け付けられたユーザーからのキー操作が、音楽データの再生の停止や音量調整などの指示である場合には、上述したステップＳ１０５、１０６の処理に変えて、ユーザーからのキー入力に応じた処理が行われる。
【０１００】
そして、ステップＳ１０２の判断処理において、人感センサー２１４を通じて所定時間以上ユーザーの不在が継続していると判断した場合、あるいは、ステップＳ１０３の判断処理において、不在ボタンがオン状態となるように操作されたと判断した場合には、制御部２００は、通信Ｉ／Ｆ２１１およびホームネットワークを通じて、ユーザーが不在になったことをサーバ装置１に通知する（ステップＳ１０７）。この通知により、サーバ装置１は、クライアント装置２が不在モードに遷移することを知り、集音音声の解析処理の準備を行うことが可能になる。
【０１０１】
このように、この実施の形態のクライアント装置２においては、在宅モードで動作するようにされた後、ユーザー（リスナー）が部屋から出ていく時に不在ボタン２１５を押下操作し不在ボタン２１５をオン状態にするか、設定された時間後もユーザーが部屋に戻らないことを人感センサー２１４を通じて自動検出した場合に、不在モードとなるようにしている。
【０１０２】
そして、制御部２００は、不在をサーバに通知してからＮ秒後、サーバ装置１から提供を受けている音楽データを再生している場合にはこれを停止し、スイッチ回路ＳＷＬ、ＳＷＲを接続端ｂ側に切り替え、ＬＥＤ２１７を点灯させる一連の処理を行うことにより、不在モードとなり、サーバ装置１に対して集音音声の解析処理（解析ソフト）を実行するように要求を送出する（ステップＳ１０８）。
【０１０３】
このステップＳ１０８の処理において、不在をサーバ装置１に通知した後、Ｎ秒経過するのを待つのは、例えば、不在ボタンをオン状態にした後に、ユーザーがその部屋から出て行くまでにある程度の時間を要する場合があることを考慮したものであり、例えば、５秒程度から数分程度の時間とされる。もちろん、この時間はユーザーが適宜設定可能である。
【０１０４】
このステップＳ１０８の処理により、クライアント装置２は、不在モードとなり、スピーカＬ、Ｒを通じて集音した音声をサーバ装置１に送信し、音声による監視処理が開始される。そして、ステップＳ１０８の処理の後においては、仮にユーザーが所定時間後に戻ってきてもこの集音の動作を行う不在モードは解除されることはなく、音楽を聞くには、以下に説明するように、手動で不在ボタン２１５をオフ状態にし、スイッチ回路ＳＷＬ、ＳＷＲを接続端ａ側に切り替え、再びキー入力からのリクエストを行うようにすることになる。もちろん、例えば人感センサー２１４の検出出力などに基づいて、ユーザーが帰宅したことを判断できるようにすることによって、不在モードから在宅モードに自動復帰させるようにすることも可能である。
【０１０５】
そして、クライアント装置２の制御部２００は、ユーザーが帰宅し、不在ボタンを押下操作して不在ボタンをオフ状態にするまで不在モードを継続し（ステップＳ１０９）、音声による監視処理が行われる。ステップＳ１０９の判断処理において、不在ボタンがオフ状態にされたと判断したときには、制御部２００は、解析ソフトの停止要求を形成してサーバ装置１に送信するとともに、スイッチ回路ＳＷＬ、ＳＷＲを接続端ａ側に切り替えて在宅モードに遷移し（ステップＳ１１０）、ステップＳ１０１からの処理を繰り返す。
【０１０６】
なお、この実施の形態のクライアント装置２においては、上述もしたように、電源オン時においては、クリックノイズがスピーカＬ、Ｒから放音されることを防止するため、一旦、スイッチ回路ＳＷＬ、ＳＷＲが接続端ｂ側に切り替えられ、１秒後に接続端ａ側に切り替えられる。また、ＬＥＤ２１７は、消灯された状態、すなわち、在宅モードの状態とされる。
【０１０７】
［サーバ装置１の動作について］
次に、クライアント装置２からの要求を受け付けるサーバ装置１の動作について説明する。図５は、サーバ装置１の動作を説明するためのフローチャートである。サーバ装置１に電源が投入されると、制御部１００は、図５に示す処理を実行する。サーバ装置１の制御部１００は、クライアント装置２からの要求を受信するまで待ち状態となる（ステップＳ２０１）。
【０１０８】
ステップＳ２０１の判断処理において、クライアント装置２からの要求を受信したと判断したときには、その受信した要求は、集音音声の解析実行要求か否かを判断する（ステップＳ２０２）。ステップＳ２０２の判断処理において、受信したクライアント装置２からの要求は、集音音声の解析要求ではないと判断したときには、その受信した要求に応じた処理、例えば、音楽データの配信や配信の停止などの他の処理が行われる（ステップＳ２０３）。
【０１０９】
ステップＳ２０３の判断処理において、受信したクライアント装置２からの要求は、集音音声の解析要求であると判断したときには、制御部１００は、クライアント装置２からの解析停止要求を受信するようにし、解析停止要求を受信したか否かを判断する（ステップＳ２０４）。ステップＳ２０４の判断処理において、解析停止要求を受信していないと判断したときには、クライアント装置２から順次に送信されてくる集音音声データを受信して、集音音声レベルが予め決められた平均レベル以上か否かを判断する（ステップＳ２０５）。
【０１１０】
ステップＳ２０５の判断処理において、集音音声レベルが平均レベル以上であると判断したときには、集音音声パターンは、予め登録された異常音のパターンと同じか否かを判断する（ステップＳ２０６）。このステップＳ２０６の判断処理においては、完全に一致する場合だけでなく、ある程度、音声のパターンが似ている（類似している）場合にも、同じであると判断することができるようにしている。また、予め登録された異常音としては、ガラスの割れる音、人が歩く音、ドアが開く音など、不在時に発生するはずのない音についての音声パターン（周波数、レベルなどのパターン）である。
【０１１１】
ステップＳ２０６の判断処理において、集音音声パターンは、予め登録された異常音のパターンと同じであると判断した場合には、音の移動があるか否かを判断する（ステップＳ２０７）。上述もしたように、この実施の形態のクライアント装置２は、左右２チャンネルのスピーカを備えており、音声パターンの同じ集音音声のレベルが、例えば、右チャンネルでは低下しているのに、左チャンネルでは増加している場合には、集音音声が左から右に移動していると判断すること可能である。このように集音音声の移動の有無は、多チャンネルの音声処理系を利用するころにより、比較的に簡単に実現することができる。
【０１１２】
そして、ステップＳ２０７の判断処理において、集音音声の移動を検出した場合には、制御部１００は、送信されてくる集音音声を例えばＨＤＤ１１４などに記録するようにし、アラーム、例えば、アラーム音の放音やＬＥＤの点灯を行うようにするとともに、予め登録された通報先に異常が発生していることを通知する（ステップＳ２０８）。ここでアラームの発生は、サーバ装置１において行うようにしてもよいし、サーバ装置１から各クライアント装置を制御して、各クライアント装置において行うようにすることももちろんできる。
【０１１３】
また、ステップＳ２０７において集音音声の移動はないと判断したときには、スピーカＬ、Ｒの集音感度や集音フィルタの設定値が低い可能性があるので、集音感度を上げたり、集音フィルタの値を変えたりするなどの処理を行い（ステップＳ２０９）、ステップＳ２０７からの処理を繰り返す。
【０１１４】
また、ステップＳ２０６の判断処理において、集音音声パターンは、予め登録された異常音のパターンと同じではないと判断した場合には、制御部１００は、異常音ではない登録された音声パターンと同じか否かを判断する（ステップＳ２１０）。例えば、外を走る車の音、玄関チャイムの音など、通常の状態において発生する可能性のある音声のパターンと同じか否かを判断する。
【０１１５】
このステップＳ２１０の判断処理において、異常音ではない登録された音声パターンと同じであると判断した場合には、制御部２００は異常は発生していないと判断し、ステップＳ２０４からの処理がくりかえされることになる。また、ステップＳ２１０において、異常音ではない登録された音声パターンと同じではないと判断したときには、制御部２００は、その直後のステップＳ２０７からの処理を繰り返す。
【０１１６】
また、ステップＳ２０５の判断処理において、集音音声レベルが平均レベルよりも大きくないと判断したときには、制御部１００は、集音感度を１レベル上げるようにする制御情報を形成し、これをクライアント装置２に送信し、集音感度を上げるようにする（ステップＳ２１１）。そして、集音感度が上限を超えたか否かを判断し（ステップＳ２１２）、上限を超えていないと判断した時には、そのままステップＳ２０４からの処理を繰り返し、ステップＳ２１２の判断処理において、集音感度が上限を超えたと判断したときには、週恩感度を１レベル下げて（ステップＳ２１３）、ステップＳ２０４からの処理を繰り返すようにする。
【０１１７】
そして、ステップＳ２０４の判断処理において、クライアント装置２からの解析停止要求を受信したと判断したときには、制御部１００は、集音音声の解析処理を停止するように終了処理を行って（ステップＳ２１４）、この後、ステップＳ２０１からの処理を繰り返す。
【０１１８】
このように、クライアント装置２とサーバ装置１とが協動することにより、ユーザーが不在時における監視システムを実現することができる。すなわち、家屋内の各部屋に音楽を流す目的に作られたクライアント機器２で、不在ボタンや人感センサーを通じてユーザーの不在を検出した場合に、スピーカＬ、Ｒの機能を拡声から集音に切り替えて、集音した音声をサーバ装置１に送信して解析するようにすることにより、監視システム、あるいは、ホームセキュリティシステムと呼ばれるシステムを構築することができる。
【０１１９】
この場合、ハードウエアが追加されることはなく、主にサーバ装置１における集音音声の解析プログラムや異常検出時の対処プログラムなどを追加するだけで、音に着目したセキュリティシステムを構築することができる。また、上述した実施の形態の場合のように、スピーカは、通常２つ以上設けられ、それらを用いて別々に音を集音できるため、音の移動方向などを測定できるメリットがある。しかも、コストが増大することもない。
【０１２０】
なお、上述した実施の形態においては、異常音のパターンなどを予め登録しておくものとして説明したが、これに限るものではない。集音により異常音の検出ために、装置が設置されると年間を通して留守宅時の平常音を蓄積し、これを複数のパターンに分類することにより、異常音のみならず、平常音をも集音してパターン化することが可能である。そして、年間を通じて、音の種類やレベル等を学習するようにする。
【０１２１】
そして、昼間と夜間の差、夏と冬の騒音差等が蓄積されていく。異常音の検出誤差は設置時間が長いほど減る傾向にある。また、各部屋により集められる音の種類やレベルの差、各部屋間の相関等のデータが常に更新するようにしておくことにより、音の移動検出はこれをベースに行うようにすることができる。
【０１２２】
また、家の内外をより区別するため家の外にも集音器を複数セットできればよいが、通常は玄関先などに設けられるインターホンで代用するようにすればよい。また、在宅時に積極的に家族の声を登録しておくと、帰宅直後、「ただいま」等の発声で即、家族かそれ以外の人物かも検出可能でありこれにより、セキュリティモードの自動解除も可能である。
【０１２３】
このように、スピーカの構造からスピーカを集音手段としても用いることができることに着目し、ユーザーが不在時には、スピーカを集音手段として用いることにより、安価にしかも信頼性の高いホームセキュリティシステムを構築することができる。
【０１２４】
［変形例］
なお、上述した実施の形態においては、クライアント装置２からの集音音声を解析することにより異常の発生を検知した場合には、集音音声を例えばＨＤＤ１１４に記録するとともに、アラームを発生させ、また、所定の通報先に通報する場合を説明したが、これに限るものではない。
【０１２５】
異常の発生を検出した場合に、集音音声の記録のみを行い、アラームの発生や所定の通報先への通報は行わないようにすることもできるし、また、異常の発生を検出した場合に、所定の通報先への通報を行い、ユーザーからの要求がある場合に、集音音声をも所定の通報先に送信して、クライアント装置２で集音される集音音声のモニタを行うようにすることもできる。
【０１２６】
また、異常の発生を検出した場合に、他のクライアント装置から警報音などを放音し、その警報音に反応して異常音の発生位置が移動したか否かを検出するようにすることもできる。この場合には、例えば、異常音の発生が侵入者によるものである場合には、警報音の発生により、侵入者が何らかの動きを起こし、これに伴って音を発生させることも考えられるので、より確実に異常が発生している場合を検出することもできる。
【０１２７】
すなわち、サーバ装置１の制御部１００は、通信Ｉ／Ｆ１１３を通じて受信した集音音声を解析することにより、異常音の発生を検出した場合に、サーバ装置１の制御部１００は、放音要求を形成し、これを例えば、リビングに設置されたクライアント装置に対して、あるいは、異常音を一番レベル高く集音したクライアント装置の隣の部屋のクライアント装置などの所定のクライアント装置に対して送信する。
【０１２８】
放音要求を受信したクライアント装置２は、制御部２００の制御により、スイッチ回路ＳＷＬ、ＳＷＲを接続端ａ側に切り替え、サーバ装置１から提供される音声データ、あるいは、ＥＥＰＲＯＭ２０４などに記憶保持されている音声データに応じた音声を、ＤＳＰ２２２、スイッチ回路ＳＷＬ、ＳＷＲ、Ｄ／Ａ変換器２２３（Ｌ）、２２３（Ｒ）を通じてスピーカＬ、Ｒに供給し、音声を放音する。
【０１２９】
この場合、放音される音声は、例えば、種々の警報音や「誰だ」などの人の声などである。放音要求を受信したクライアント装置以外のクライアント装置は、不在モードのままとされ、音声を集音してサーバ装置１に送信する処理を続行しているので、放音された警報音に反応して、異常音が移動した場合には、侵入者が存在する可能性が高くなり、警備会社や警察などに連絡を取るなどの適切な対応を取ることが可能になる。
【０１３０】
なお、放音要求を受信したクライアント装置は、音声を放音した後、例えば、数秒後にスイッチ回路ＳＷＬ、ＳＷＲが接続端ｂ側に切り替えられるようにされる。
【０１３１】
このように、ホームネットワークシステムの場合には、異常の発生を検出した場合に、いずれかのクライアント装置のスピーカを拡声手段として用い、その他のクライアント装置のスピーカを集音手段として用いることにより、異常の発生の検出精度を向上させることが可能である。
【０１３２】
また、図示しないが、クライアント装置２は時計回路を備えており、異常の発生を検出した場合に、その検出時刻を集音音声とともに、記録することもできるようにされる。
【０１３３】
また、上述の実施の形態においては、集音音声のレベルの値、集音音声と予め登録されている音声のパターンマッチング、集音音声の移動の有無に基づいて、異常の発生を検出するようにしたが、これに限るものではない。これらのいずれか１つ以上を用いればよいし、さらに他の情報を用いて解析を行うようにしてももちろんよい。
【０１３４】
［ホームネットワークシステムの自己チェックについて］
上述もしたように、クライアント装置２は、左右チャンネルの音声チャンネルを備えており、それらを別個に制御することができれば、正常に動作しているか否かの自己チェックを行うことができる。
【０１３５】
図６は、音声の放音と集音についての自己チェックの方式を説明するための図である。図３を用いて説明したように、クライアント装置２の制御部２００は、スイッチ回路ＳＷＬ、ＳＷＲのそれぞれを別々に制御することが可能である。そこで、図６に示したように、例えば、クライアント装置１の左スピーカＬ（１）に対応するスイッチ回路ＳＷＬを接続端ａ側に切り替えて、クライアント装置１の左スピーカＬ（１）だけから所定の音声を放音し、それ以外のスピーカを集音手段として用いてスピーカＬ（１）からの音声を集音する。
【０１３６】
クライアント装置１の左スピーカＬ（１）以外のスピーカを通じて、左スピーカＬ（１）から放音された音声が、所定のレベルで集音されれば、当該ネットワークシステムは正常であると判断することができる。また、集音できなかったスピーカが存在した場合には、そのスピーカを有するチャンネルに異常があることが分かるし、いずれのスピーカも左スピーカＬからの音声を集音できなかった場合には、放音手段としてのスピーカＬ（１）の系の異常、あるいは、スピーカＬ（１）以外のすべてのスピーカの系の異常が発生していることが検知することができる。
【０１３７】
なお、図６に示した例は、設置される部屋が異なるクライアント装置をも含めてシステムチェックを行う場合を示したが、以下においては説明を簡単にするための、例えば、クライアント装置単位に自己チェックを行う場合を例にして説明する。
【０１３８】
［自己チェック時のクライアント装置とサーバ装置の動作について］
図７、図８は、クライアント装置単位にスピーカの自己チェックを行う場合の処理を説明するためのフローチャートである。この内、図７は、クライアント装置２において実行される自己チェックを行う場合の処理を説明するためのものであり、図８は、サーバ装置１において行われる自己チェックのための処理を説明するためのフローチャートである。
【０１３９】
［自己チェック時のクライアント装置の動作］
まず、自己チェック時のクライアント装置の動作について説明する。クライアント装置２のキー操作部２１２を通じて、自己チェック処理の実行が指示されると、クライアント装置２の制御部２００は、図７に示す処理を実行する。まず、制御部２００は、Ｌチャンネル側のスイッチ回路ＳＷＬを接続端ａ側に切り替えるとともに、Ｒチャンネル側のスイッチＳＷＲを接続端ｂ側に切り替え、自己チェック中であることを示すために、ＬＥＤドライブ２１６を制御してＬＥＤ２１７を点灯させるようにする（ステップＳ３０１）。このステップＳ３０１の処理は、スピーカＬを放音用に、スピーカＲを集音用にするための処理である。
【０１４０】
次に、制御部２００は、サーバ装置１に対して自己チェックを行うようにするためのチェック要求を形成し、これを通信Ｉ／Ｆ２２１を通じてサーバ装置１に送信する（ステップＳ３０２）。このチェック要求に応じてサーバ装置１は要求元のクライアント装置２に対してテスト音データを送信してくるので、当該クライアント装置２は、サーバ装置１からのテスト音データを通信Ｉ／Ｆ２２１を通じて受信し、ＤＳＰ２２２、Ｄ／Ａ変換器２２３（Ｌ）、スイッチ回路ＳＷＬを通じてテスト音信号をスピーカＬに供給して、スピーカＬからテスト音を放音し、これをスピーカＲが集音する（ステップＳ３０３）。
【０１４１】
スピーカＲが集音したテスト音声は、スイッチ回路ＳＷＲ、Ａ／Ｄ変換器２２４（Ｒ）、ＤＳＰ２２２、通信Ｉ／Ｆ２２１を通じて、デジタルデータとしてサーバ装置１に送信する（ステップＳ３０４）。
【０１４２】
この後、当該クライアント装置２の制御部２００は、Ｌチャンネル側のスイッチ回路ＳＷＬを接続端ｂ側に切り替えるとともに、Ｒチャンネル側のスイッチＳＷＲを接続端ａ側に切り替える（ステップＳ３０５）。このステップＳ３０５の処理は、スピーカＬを集音用に、スピーカＲを放音用にするための処理である。
【０１４３】
そして、制御部２００は、サーバ装置１に対して自己チェックを行うようにするためのチェック要求を形成し、これを通信Ｉ／Ｆ２２１を通じてサーバ装置１に送信する（ステップＳ３０６）。このチェック要求に応じてサーバ装置１は要求元のクライアント装置２に対してテスト音データを送信してくるので、当該クライアント装置２は、サーバ装置１からのテスト音データを通信Ｉ／Ｆ２２１を通じて受信し、ＤＳＰ２２２、Ｄ／Ａ変換器２２３（Ｒ）、スイッチ回路ＳＷＲを通じてテスト音信号をスピーカＲに供給して、スピーカＲからテスト音を放音し、これをスピーカＬが集音する（ステップＳ３０７）。
【０１４４】
スピーカＬが集音したテスト音声は、スイッチ回路ＳＷＬ、Ａ／Ｄ変換器２２４（Ｌ）、ＤＳＰ２２２、通信Ｉ／Ｆ２２１を通じて、デジタルデータとしてサーバ装置１に送信する（ステップＳ３０８）。
【０１４５】
左右両チャンネルの集音音声を受信したサーバ装置１は、それらの集音音声を解析することにより得た解析結果を受信し（ステップＳ３０９）、その解析結果に基づいてテスト音声の放音と集音とが正常に行われたか否かを判断する（ステップＳ３１０）。ステップＳ３１０の判断処理において、解析結果が正常であると判断したときには、ＬＥＤドライブ２１６を制御してＬＥＤ２１７を消灯し（ステップＳ３１１）、この図７に示す処理を終了する。
【０１４６】
また、ステップＳ３１０の判断処理において、解析結果が正常でない、すなわち、集音したテスト音のレベルが極端に低いとか、全く集音されていないなどの不具合が生じている場合には、警告を出力し（ステップＳ３１２）、この図７に示す処理を終了する。このステップＳ３１２の処理は、例えば、ＬＥＤ２１７を点滅させるようにしたり、図示しないＬＣＤにエラーメッセージを表示するようにしたり、あるいは図示しないが、ブザーなどを備えている場合には、警告音を放音するなどのことを行うものである。
【０１４７】
［クライアント装置の自己チェック時におけるサーバ装置の動作］
次に、クライアント装置２の自己チェック時におけるサーバ装置１の具体的な動作について、図８のフローチャートを参照しながら説明する。
【０１４８】
サーバ装置１は、電源投入後においては、常時、クライアント装置２からの要求待ち状態となっている（ステップＳ４０１）。ステップＳ４０１の判断処理において、クライアント装置２からの要求を受信したと判断すると、その受信したクライアント装置２からの要求は、自己チェック要求か否かを判断する（ステップＳ４０２）。
【０１４９】
ステップＳ４０２の判断処理において、自己チェック要求ではないと判断したときには、その要求に応じた他の処理を行う（ステップＳ４０３）。すなわち、ステップＳ４０３においては、受信した要求が例えば音声データの送信要求であれば要求された音声データをＨＤＤ１１５から読み出して送信するなど、要求に応じた種々の処理がおこなわれる。
【０１５０】
ステップＳ４０２の判断処理において、受信した要求が自己チェック要求であると判断したときには、サーバ装置１の制御部１００は、要求元のクライアント装置２に対してテスト音データを送信する（ステップＳ４０４）。そして、要求元のクライアント装置２から送信されてくるテスト音の集音音声を受信し（ステップＳ４０５）、その集音音声を解析する（ステップＳ４０６）。
【０１５１】
そして、サーバ装置１の制御部２は、左右２チャンネルの相互の自己チェックを終了したか否かを判断する（ステップＳ４０７）。ステップＳ４０７の判断処理において、左右２チャンネルの相互の自己チェックを終了していないと判断したときには、制御部１００は、ステップＳ４０１からの処理を繰り返し、他方のチャンネルについての自己チェック要求が送信されてくるのを待ち、当該他方のチャンネルについても同様の処理を行う。
【０１５２】
ステップＳ４０７の判断処理において、左右２チャンネルの相互の自己チェックが終了したと判断したときには、左右２チャンネルについての解析結果を要求元のクライアント装置２に送信し（ステップＳ４０８）、この図８に示す処理を終了する。
【０１５３】
これら図７、図８を用いて説明した処理により、クライアント装置２のユーザーは、自己チェックの結果の通知（出力）を受けて、当該クライアント装置の放音機能あるいは集音機能に不具合が生じている場合にはこれを認識し、ケーブルの接続や故障の有無などを確認し、適切な対応を取ることができるようにされる。
【０１５４】
なお、図７、図８に示す処理は、クライアント装置２のユーザーからの自己チェック実行開始操作に応じて、適宜のタイミングで実行することができる。しかし、これに限るものではない。例えば、不在ボタンがオン状態にされた場合など、不在を検出した場合に、自動的にクライアント装置が自己チェックをするようにすることができる。
【０１５５】
図９は、ユーザーが不在になったことを検出し、不在モードに移行する場合において、自動的に自己チェックを行うようにする場合のクライアント装置２の動作を説明するためのフローチャートである。図９に示すフローチャートは、図４に示したフローチャートと同様に、クライアント２に電源が投入された場合に実行される基本的な処理（基本動作）を説明するためのものである。
【０１５６】
そして、図９に示す処理において、図４に示した処理と同様に行われる部分には同じ参照符号（ステップ番号）を付し、その部分についての説明は省略することとする。そして、図９に示すフローチャートと、図４に示したフローチャートとを比較すると分かるように、ステップＳ１０７の処理とステップＳ１０９の判断処理との間に、ステップＳ５０１〜ステップＳ５０３の処理を設けている。この内、ステップＳ５０１、ステップＳ５０３の処理は、図４におけるステップＳ１０８の処理を分離するようにしたものである。
【０１５７】
すなわち、ステップＳ１０２の判断処理において、人感センサー２１４を通じてユーザーの不在を検出したと判断した場合、あるいは、ステップＳ１０３の判断処理において、不在ボタン２１５がオン状態とされたと判断した場合には、クライアント装置２の制御部２００は、ステップＳ１０７において、サーバ装置１に対してユーザーが不在になったことを通知し、不在時の処理の準備をするようにした後において、音楽データの再生を行っている場合には、これを停止する（ステップＳ５０１）。
【０１５８】
そして、図７を用いて説明した自己チェック処理（システムチェック処理）を実行する（ステップＳ５０２）。このステップＳ５０２で実行される自己チェック処理に対応して、サーバ装置１においては、図８を用いて説明した処理が行われ、クライアント装置２における放音機能と集音機能との自己チェックが行われ、不具合が生じている場合には、これがユーザーに通知される。
【０１５９】
この後、制御部２００は、スイッチ回路ＳＷＬ、ＳＷＲを接続端ｂ側に切り替え、集音音声の解析処理の実行をサーバ装置に要求することにより、不在モードとなり、スピーカＬ、Ｒを通じて集音する集音音声をサーバ装置１に送信して（ステップＳ５０３）、音声に基づいて、異常の発生を監視することになる。
【０１６０】
このように、不在モードとなる場合に、必ず自己チェックを行うようにした場合には、不在モードになる前に、不具合が生じているか否かを確実にチェックすることができるので、システムの信頼性を向上させることができる。
【０１６１】
このように、クライアント装置２に複数の拡声集音手段としてのスピーカが存在することにより、拡声機能と集音機能とを分離して、システムチェックを適宜のタイミングで行うことができる。
【０１６２】
［その他］
今後、電気のコンセントのように、ホームネットワークが屋内に配線され、各部屋に接続端が設けられ、サーバ装置からは各部屋（トイレ、キッチン、バスルーム等をも含む）のクライアント装置に対してニュースや音楽等のオーディオ情報を流すようなアプリケーションが一般に用いられることも十分に考えられる。
【０１６３】
このような用途では小音量のオーディオ情報が絶えず各部屋に流れ音楽やニュース等を楽しめるるわけだが、部屋に人がいない時はオーディオ情報を流す必要はまったくない。そこで、上述もしたように、基本的に人がいないことを示す不在ボタンを有したり、これを自動で検出したりして、今まで流していた音楽拡音機能（拡声機能）を停止させ、集音機能に切り替えて、切り替えにより得た音データ（集音音声）をサーバ装置に転送して解析し、その部屋で起きている現象の分析を音のみで行い家屋内のセキュリティ機能の一部を担うことができる。
【０１６４】
そして、従来から行われている監視カメラなどの映像を利用した監視システムとは異なり、集音音声により異常の発生を検知するようにする場合、光が必要なく真っ暗な場所でも監視機能を正常に機能させることが可能で、かつ（指向性）死角が少なく、コストも低いという特徴がある。
【０１６５】
そして、ユーザーが不在時においては、まったく使われることのない音響装置を、不在時においては、監視装置として用いることができるので、音響装置の有効活用を図ることができるとともに、不在時の安全性を高めることができる。
【０１６６】
なお、上述の実施の形態においては、サーバ装置１は１台の場合の例を説明しているが、サーバ装置は１台に限るものではなく、サーバ装置を複数台設けて、これを使い分けるようにしてもよい。すなわち、サーバ装置の処理を分散するようにしてもよいし、１台のサーバ装置をメインサーバ、他のサーバ装置をサブサーバ装置として用いるようにすることもできる。
【０１６７】
また、サーバ装置は、家庭内に設ける場合に限るものではなく、例えば、インターネットなどの広域ネットワークに接続された外部のサーバ装置を用いるようにすることももちろんできる。また、家庭内の内部と外部に複数のサーバ装置を設けこれらを使い分けるようにしてもよい。
【０１６８】
また、家屋の内部と外部との一方または両方に複数のサーバ装置を設けるようにした場合には、それら複数のサーバ装置を共用するようにすることもできる。したがって、例えば、複数のサーバ装置に対して、集音音声を送信し、２重、３重にデータを保護するようにしてもよい。
【０１６９】
また、上述の実施の形態の場合には、ホームネットワークシステムにこの発明を適用した場合を例にして説明したが、例えば、パーソナルコンピュータのように、サーバ装置１とクライアント装置２とが一体となった機器にもこの発明を適用することができることはいうまでもない。
【０１７０】
この場合には、図４、図５、図７、図８、図９に示した処理の全部が、サーバ装置１としての機能とクライアント装置２としての機能とを併せ持つ機器において行われることになる。そして、このように、サーバ装置１としての機能とクライアント装置２としての機能とを併せ持つ機器は、例えば、１ルームマンションやアパートなどの部屋数の少ない集合住宅に居住する単身者などに利用されることにより、それらの場合にも不在時の安全性を高めることができる。
【０１７１】
また、上述した実施の形態においては、クライアント装置２は、音声信号のみを処理するものとして説明したが、これに限るものではない。テレビ受像機などの音声と映像との両方を処理する機器にもこの発明を適用することができる。すなわち、少なくとも、音声信号を処理する装置にこの発明を適用することができる。
【０１７２】
また、上述の実施の形態においては、拡声集音手段として左右２チャンネルを有するクライアント装置を例にして説明したが、これに限るものではない。１チャンネルだけでももちろんよいし、３チャンネル、４チャンネル、５．１チャンネルなどのチャンネルの音声系を有する機器にもこの発明を適用することができる。
【図面の簡単な説明】
【０１７３】
【図１】この発明の一実施の形態が適用されたホームネットワークシステムを説明するための図である。
【図２】図１に示したホームネットワークシステムのサーバ装置１の構成例を説明するためのブロック図である。
【図３】図１に示したホームネットワークシステムのクライアント装置２の構成例を説明するためのブロック図である。
【図４】クライアント装置２の動作を説明するためのフローチャートである。
【図５】サーバ装置１の動作を説明するためのフローチャートである。
【図６】システムチェックを行う場合の例を説明するための図である。
【図７】システムチェック（自己チェック）を行う場合のクライアント装置２の動作を説明するためのフローチャートである。
【図８】クライアント装置が自己チェックを行う場合のサーバ装置１の動作を説明するためのフローチャートである。
【図９】不在モードの切り替え時において、クライアント装置が自己チェックを行うようにした場合のクライアント装置２の動作を説明するためのフローチャートである。
【符号の説明】
【０１７４】
１…サーバ装置、１００…制御部、１０１…ＣＰＵ、１０２…ＲＯＭ、１０３…ＲＡＭ、１０４…ＥＥＰＲＯＭ、１０５…ＣＰＵバス、１１１…キーＩ／Ｆ、１１２…キー操作部、１１３…通信Ｉ／Ｆ、１１４、１１５…ハードディスクドライブ、２…クライアント装置、２００…制御部、キーＩ／Ｆ２１１、２１２…キー操作部、２１３…センサーＩ／Ｆ、２１４…人感センサー、２１５…不在ボタン、２１６…ＬＥＤドライバ、ＬＥＤ、２２１…通信Ｉ／Ｆ、２２２…ＤＳＰ、２２３（Ｌ）、２２３（Ｒ）…Ｄ／Ａ変換器、２２４（Ｌ）、２２４（Ｒ）…Ａ／Ｄ変換器、ＳＷＬ、ＳＷＲ…スイッチ回路、Ｌ…左チャンネルスピーカ、Ｒ…右チャンネルスピーカ
【図１】
2005328410.tif 000003
【図２】
2005328410.tif 000004
【図３】
2005328410.tif 000005
【図４】
2005328410.tif 000006
【図５】
2005328410.tif 000007
【図６】
2005328410.tif 000008
【図７】
2005328410.tif 000009
【図８】
2005328410.tif 000010
【図９】
2005328410.tif 000011
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
音声信号を音響出力に変換する拡声機能と音響信号を音声出力に変換する集音機能とを備える拡声集音手段と、
上記拡声集音手段を、拡声手段として動作させるか、集音手段として動作させるかを切り替える制御手段と、
上記制御手段により、上記拡声集音手段が集音手段として動作するとき、上記拡声集音手段が出力する音声出力を解析する解析手段と、
上記解析手段からの解析結果に基づいて、警告信号を発生する警告手段と
を備えることを特徴とする音響装置。
【請求項２】
請求項１に記載の音響装置であって、
ユーザーが不在となることの登録入力を受け付ける登録受付手段と、
この登録受付手段により上記登録入力を受け付けたとき、所定の時間後に上記制御手段は上記拡声集音手段を集音手段として動作させることを特徴とする音響装置。
【請求項３】
請求項１に記載の音響装置であって、
人の不在を検出する不在検出手段を備え、
この不在検出手段により、人の不在が検出されたとき、上記制御手段は上記拡声集音手段を集音手段として動作させることを特徴とする音響装置。
【請求項４】
請求項１に記載の音響装置であって、
ユーザーが不在となることの登録入力を受け付ける登録受付手段と、
人の不在を検出する不在検出手段と
を備え、
この不在検出手段により、人の不在が検出されたとき、あるいは、この登録受付手段により上記登録入力を受け付けたとき、上記制御手段は上記拡声集音手段を集音手段として動作させることを特徴とする音響装置。
【請求項５】
請求項１に記載の音響装置であって、
端末装置とサーバ装置とが所定の通信ネットワークを通じて接続されて構成されたものであり、
上記端末装置は、上記拡声集音手段と、上記制御手段とを備え、
上記サーバ装置は、上記解析手段を備え、
上記端末装置は、上記拡声集音手段が集音手段として動作して出力した音声出力を、上記通信ネットワークを通じて上記サーバ装置に送信し、上記サーバ装置の上記解析手段がその音声出力を解析することを特徴とする音響装置。
【請求項６】
請求項１に記載の音響装置であって、
上記制御手段により、上記拡声集音手段が集音手段として動作するとき、上記拡声集音手段が集音手段として動作していることを通知する通知手段を備えることを特徴とする音響装置。
【請求項７】
請求項１に記載の音響装置であって、
上記警告手段が警告信号を発生するとき、この警告信号の発生を所定の通知先に通知する通信手段を備えることを特徴とする音響装置。
【請求項８】
請求項１に記載の音響装置であって、
上記警告手段が警告信号を発生するとき、上記拡声集音手段が集音手段として動作して出力した音声出力を、所定の記録媒体に記録する音声記録手段を備えることを特徴とする音響装置。
【請求項９】
請求項１に記載の音響装置であって、
上記解析手段は、これに供給された集音音声のレベルの検出、当該集音音声のレベルの変化の検出、当該集音音声と予め登録された所定の音声とのパターンマッチング、当該集音音声の移動の検出のうちの少なくとも１つ以上を行うことを特徴とする音響装置。
【請求項１０】
請求項５に記載の音響装置であって、
上記端末装置が複数ある場合に、
上記サーバ装置は、
上記警告手段が警告信号を発生するとき、所定の端末装置に対して、音声の出力要求を形成して送信するようにする出力要求形成手段を備え、
上記所定の端末装置は、
上記出力要求を受信したとき、上記制御手段は、上記拡声集音手段が拡声手段として動作するように切り替え、
上記サーバ装置から供給される音声データ、あるいは、当該端末装置が格納する音声データに応じた音声を上記拡声集音手段により音声出力することを特徴とする音響装置。
【請求項１１】
請求項１に記載の音響装置であって、
上記拡声集音手段を複数備え、
上記制御手段は、上記複数の拡声集音手段のうち、少なくとも１つの拡声集音手段が拡声手段として動作するように切り替え、残りの拡声集音手段が集音手段として動作するように切り替え、
拡声手段として動作する拡声集音手段から音声信号を音響出力させ、集音手段として動作する拡声集音手段により音声出力を得て、当該音響装置の機能チェックを行うことを特徴とする音響装置。
【請求項１２】
音声信号を音響出力に変換する拡声機能と音響信号を音声出力に変換する集音機能とを備える拡声集音手段を備える音響装置を用いた監視方法であって、
上記拡声集音手段を集音手段として動作させる第１の切換ステップと、
上記拡声集音手段が出力する音声出力を解析する解析ステップと、
上記解析ステップにおいての解析結果に基づいて、警告信号を発生する警告ステップと
を備えることを特徴とする監視方法。
【請求項１３】
請求項１２に記載の監視方法であって、
ユーザーが不在となることの登録入力を受け付ける登録受付ステップを備え、
上記登録受付ステップで上記登録入力を受け付けたとき、所定の時間後に上記第１の切換ステップにおいて上記拡声集音手段を集音手段として動作させることを特徴とする監視方法。
【請求項１４】
請求項１２に記載の監視方法であって、
人の不在を検出する検出ステップを備え、
上記検出ステップで人の不在が検出されたとき、上記第１の切換ステップにおいて上記拡声集音手段を集音手段として動作させることを特徴とする監視方法。
【請求項１５】
請求項１２に記載の監視方法であって、
ユーザーが不在となることの登録入力を受け付ける登録受付ステップと、
人の不在を検出する検出ステップと
を備え、
上記登録受付ステップで上記登録入力を受け付けたとき、あるいは、上記検出ステップで人の不在が検出されたとき、上記第１の切換ステップにおいて上記拡声集音手段を集音手段として動作させることを特徴とする監視方法。
【請求項１６】
請求項１２に記載の監視方法であって、
上記音響装置は、端末装置とサーバ装置とが所定の通信ネットワークを通じて接続されて構成されたものであり、
上記端末装置において、上記第１の切換ステップで上記拡声集音手段を集音手段として動作させ、上記拡声集音手段が出力した音声出力を、上記通信ネットワークを通じて上記サーバ装置に送信し、
上記サーバ装置において、上記端末装置より送信された音声出力を受信し、上記解析ステップで解析する
ことを特徴とする監視方法。
【請求項１７】
請求項１２に記載の監視方法であって、
上記第１の切換ステップにより、上記拡声集音手段が集音手段として動作するとき、上記拡声集音手段が集音手段として動作していることを通知する通知ステップを備えることを特徴とする監視方法。
【請求項１８】
請求項１２に記載の監視方法であって、
上記警告ステップにおいて、警告信号を発生するとき、この警告信号の発生を所定の通知先に通知する通知ステップを備えることを特徴とする監視方法。
【請求項１９】
請求項１２に記載の監視方法であって、
上記警告ステップにおいて、警告信号を発生するとき、上記拡声集音手段が集音手段として動作して出力した音声出力を、所定の記録媒体に記録する記録ステップを備えることを特徴とする監視方法。
【請求項２０】
請求項１２に記載の監視方法であって、
上記解析ステップは、上記拡声集音手段が出力する集音音声のレベルの検出、当該集音音声のレベルの変化の検出、当該集音音声と予め登録された所定の音声とのパターンマッチング、当該集音音声の移動の検出のうちの少なくとも１つ以上を行うことを特徴とする監視方法。
【請求項２１】
請求項１６に記載の監視方法であって、
上記端末装置が複数ある場合に、
上記サーバ装置においては、
上記警告ステップで警告信号を発生するとき、所定の端末装置に対して、音声の出力要求を形成して送信するようにする出力要求ステップを備え、
上記所定の端末装置においては、
上記出力要求を受信したとき、上記拡声集音手段を拡声手段として動作させる第２の切換ステップと、
上記サーバ装置から供給される音声データ、あるいは、当該端末装置が格納する音声データに応じた音声を上記拡声集音手段により音声出力する出力ステップと
を備えることを特徴とする監視方法。
【請求項２２】
請求項１２に記載の監視方法であって、
上記音響装置は上記拡声集音手段を複数備え、
上記複数の拡声集音手段のうち、少なくとも１つの拡声集音手段を拡声手段として動作させる第２の切換ステップを備え、
残りの拡声集音手段を、上記第１の切換ステップで集音手段として動作させ、
拡声手段として動作する拡声集音手段から音声信号を音響出力させ、集音手段として動作する変換器により音声出力を得て、当該音響装置の機能チェックを行うことを特徴とする監視方法。
【手続補正２】
【補正対象書類名】明細書
【補正対象項目名】０００７
【補正方法】変更
【補正の内容】
【０００７】
そして、請求項１に記載の発明の音響装置は、
音声信号を音響出力に変換する拡声機能と音響信号を音声出力に変換する集音機能とを備える拡声集音手段と、
上記拡声集音手段を、拡声手段として動作させるか、集音手段として動作させるかを切り替える制御手段と、
上記制御手段により、上記拡声集音手段が集音手段として動作するとき、上記拡声集音手段が出力する音声出力を解析する解析手段と、
上記解析手段からの解析結果に基づいて、警告信号を発生する警告手段と
を備えることを特徴とする。
これにより、拡声集音手段を集音手段として用いて、この拡声集音手段によって集音された集音音声が解析手段で解析されることにより、異常音の発生などが検出され、これを通知するなどのことができるようにされる。
【手続補正３】
【補正対象書類名】明細書
【補正対象項目名】０００８
【補正方法】変更
【補正の内容】
【０００８】
請求項２に記載の発明の音響装置は、請求項１に記載の音響装置であって、
登録受付手段を通じて不在になることの登録入力がなされると、拡声集音手段が集音手段として動作するように、制御手段によって切り替えられる。そして、集音手段として動作するようにされた拡声集音手段により集音された集音音声が解析手段により解析され、その解析結果に基づいて警告手段により警告信号が発生される。
【手続補正４】
【補正対象書類名】明細書
【補正対象項目名】００１０
【補正方法】変更
【補正の内容】
【００１０】
また、請求項３に記載の発明の音響装置は、請求項１に記載の音響装置であって、
人の不在を検出するための不在検出手段を備え、
上記不在検出手段によって、人の不在が検出された場合に、上記拡声集音手段を集音手段として動作させることを特徴とする。
【手続補正５】
【補正対象書類名】明細書
【補正対象項目名】００１１
【補正方法】変更
【補正の内容】
【００１１】
この請求項３に記載の発明の音響装置によれば、不在検出手段により、ユーザーが不在になったことが検出された場合に、拡声集音手段が集音手段として動作するように、制御手段によって切り替えられる。そして、集音手段として動作するようにされた拡声集音手段により集音された集音音声が解析手段により解析され、その解析結果に基づいて警告手段により警告信号が発生される。
【手続補正６】
【補正対象書類名】明細書
【補正対象項目名】００１３
【補正方法】変更
【補正の内容】
【００１３】
また、請求項４に記載の発明の音響装置は、請求項１に記載の音響装置であって、
ユーザーが不在となることの登録入力を受け付ける登録受付手段と、
人の不在を検出するための不在検出手段とを備え、
上記不在検出手段によって、ユーザーの不在が検出された場合、あるいは、この登録受付手段により登録入力を受け付けたときにも、上記拡声集音手段を集音手段として動作させるように、切り替えることを特徴とする。
【手続補正７】
【補正対象書類名】明細書
【補正対象項目名】００１４
【補正方法】変更
【補正の内容】
【００１４】
この請求項４に記載の発明の音響装置によれば、登録受付手段を通じて不在になることの登録入力がなされた場合、または、不在検出手段により、ユーザーが不在になったことが検出された場合に、拡声集音手段が集音手段として動作するように、制御手段によって切り替えられる。そして、集音手段として動作するようにされた拡声集音手段により集音された集音音声が解析手段により解析され、その解析結果に基づいて警告手段により警告信号が発生される。
【手続補正８】
【補正対象書類名】明細書
【補正対象項目名】００１６
【補正方法】変更
【補正の内容】
【００１６】
また、請求項５に記載の音響装置は、端末装置とサーバ装置とにより構成されるものである。
【手続補正９】
【補正対象書類名】明細書
【補正対象項目名】００１７
【補正方法】変更
【補正の内容】
【００１７】
すなわち、請求項５に記載の発明の音響装置は、請求項１に記載の音響装置であって、
端末装置とサーバ装置とが所定の通信ネットワークを通じて接続されて構成されたものであり、
上記端末装置は、
上記拡声集音手段と、上記制御手段と
を備え、
上記サーバ装置は、
上記解析手段を備え、
上記端末装置の上記拡声集音手段が集音手段として動作している場合に集音された音声信号を、上記通信ネットワークを通じて上記サーバ装置に送信し、上記サーバ装置の上記解析手段により解析することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
この請求項５に記載の発明の音響装置によれば、当該音響装置は、端末装置とサーバ装置とが所定のネットワークを通じて接続されて構成される。そして、端末装置の拡声集音手段によって集音された集音音声は、所定のネットワークを通じてサーバ装置の解析手段に供給され解析処理がなされる。
【手続補正１３】
【補正対象書類名】明細書
【補正対象項目名】００２２
【補正方法】変更
【補正の内容】
【００２２】
また、請求項６に記載の発明の音響装置は、請求項１に記載の音響装置であって、
上記拡声集音手段が集音手段として動作するように、上記制御手段の制御によって切り替えられた場合に、上記拡声集音手段が集音手段として動作していることをユーザーに通知する通知手段を備えることを特徴とする。
【手続補正１４】
【補正対象書類名】明細書
【補正対象項目名】００２３
【補正方法】変更
【補正の内容】
【００２３】
この請求項６に記載の発明の音響装置によれば、ユーザーが不在となり、拡声集音手段が集音手段となった場合には、これが通知手段を通じてユーザーに対して通知するようにされる。
【手続補正１５】
【補正対象書類名】明細書
【補正対象項目名】００２５
【補正方法】変更
【補正の内容】
【００２５】
また、請求項７に記載の発明の音響装置は、請求項１に記載の音響装置であって、
上記警告手段により、警告信号が発生された場合に、これを所定の通知先に通知する通信手段を備えることを特徴とする。
【手続補正１６】
【補正対象書類名】明細書
【補正対象項目名】００２６
【補正方法】変更
【補正の内容】
【００２６】
この請求項７に記載の発明の音響装置によれば、警告手段により警告信号が発生された場合には、通信手段により、予め決められている通知先、例えば、ユーザーの携帯電話端末などに異常が発生したことを通知することができるようにされる。これにより、ユーザーは、異常の発生を迅速に知り、適切な対応を取ることができるようにされる。
【手続補正１７】
【補正対象書類名】明細書
【補正対象項目名】００２７
【補正方法】変更
【補正の内容】
【００２７】
また、請求項８に記載の発明は、請求項１に記載の音響装置であって、
上記警告手段により、警告信号が発生された場合に、集音された音声信号を所定の記録媒体に記録する音声記録手段を備えることを特徴とする。
【手続補正１８】
【補正対象書類名】明細書
【補正対象項目名】００２８
【補正方法】変更
【補正の内容】
【００２８】
この請求項８に記載の発明の音響装置によれば、警告手段により警告信号が発生された場合には、集音された音声信号が所定の記録媒体に記録するようにされる。これにより、異常発生時において集音した集音音声を後で聴取し、状況を知るなどことに役立てることができるようにされる。
【手続補正１９】
【補正対象書類名】明細書
【補正対象項目名】００２９
【補正方法】変更
【補正の内容】
【００２９】
また、請求項９に記載の音響装置は、請求項１に記載の音響装置であって、
上記解析手段は、これに供給された集音音声のレベルの検出、当該集音音声のレベルの変化の検出、当該集音音声と予め登録された所定の音声とのパターンマッチング、当該集音音声の移動の有無の検出のうちの少なくとも１つ以上を行うことを特徴とする。
【手続補正２０】
【補正対象書類名】明細書
【補正対象項目名】００３０
【補正方法】変更
【補正の内容】
【００３０】
この請求項９に記載の発明の音響装置によれば、解析手段においては、集音音声のレベルの検出、当該集音音声のレベルの変化の検出、当該集音音声と予め登録された所定の音声とのパターンマッチング、当該集音音声の移動の有無の検出の１つ以上が用いられて集音音声の解析が行われる。これにより、集音音声の解析を適切に行って、異常の検出を行うことができるようにされる。
【手続補正２１】
【補正対象書類名】明細書
【補正対象項目名】００３１
【補正方法】変更
【補正の内容】
【００３１】
また、請求項１０に記載の音響装置は、請求項５に記載の音響装置であって、
上記端末装置が複数ある場合に、
上記サーバ装置は、
上記警告手段によって警告信号が発生された場合に、所定の端末装置に対して、音声の出力要求を形成して送信するようにする出力要求形成手段を備え、
上記所定の端末装置は、
上記出力要求を受信した場合に、上記制御手段は、上記拡声集音手段を拡声手段として動作するように切り替え、
上記サーバ装置から供給される音声データ、あるいは、自機が保持する音声データに応じた音声を上記拡声集音手段から音声出力するようにすることを特徴とする。
【手続補正２２】
【補正対象書類名】明細書
【補正対象項目名】００３２
【補正方法】変更
【補正の内容】
【００３２】
この請求項１０に記載の音響装置によれば、音響装置が複数の端末装置とサーバ装置とで構成されている場合であって、サーバ装置の警告手段により警告信号が発生された場合に、出力要求形成手段により出力要求が形成され、端末装置の１つに対して送信するようにされる。出力要求を受信した端末装置においては、制御手段によって、拡声集音手段が拡声手段として用いられるように切り替えられる。そして、当該端末装置の拡声集音手段から音声を放音する。この場合、その他の端末装置の拡声集音手段は、集音手段として用いられるようにされた状態のままとされる。
【手続補正２３】
【補正対象書類名】明細書
【補正対象項目名】００３３
【補正方法】変更
【補正の内容】
【００３３】
これにより、出力要求を受信した端末装置からの放音音声に反応して、異常音が移動したか否かを、その他の端末装置において集音した集音音声に基づいて検出することによって、侵入者が侵入して異常音を発生した場合などをより確実に検出することができるようにされる。
【手続補正２４】
【補正対象書類名】明細書
【補正対象項目名】００３４
【補正方法】変更
【補正の内容】
【００３４】
また、請求項１１に記載の音響装置は、請求項１に記載の音響装置であって、
上記拡声集音手段を複数備え、
上記制御手段は、上記複数の拡声集音手段のうちの少なくとも１つを拡声手段とし、残りの拡声集音手段を集音手段とするように切り替え、
拡声手段とされた上記拡声集音手段から音声を出力し、集音手段とされた上記拡声集音手段により音声を集音して、機能のチェックを行うように制御することを特徴とする。
【手続補正２５】
【補正対象書類名】明細書
【補正対象項目名】００３５
【補正方法】変更
【補正の内容】
【００３５】
この請求項１１に記載の音響装置によれば、音響装置の拡声集音手段は、例えば、ステレオ２チャンネル（左チャンネル、右チャンネル）のように、複数のチャンネルに対応して複数存在するようにされており、制御手段により、１つの拡声集音手段を拡声手段とし、その他を集音手段として、放音と集音とが適正に行われているか否かの自己チェックを行うことができるようにされる。
【手続補正２６】
【補正対象書類名】明細書
【補正対象項目名】０１１５
【補正方法】変更
【補正の内容】
【０１１５】
このステップＳ２１０の判断処理において、異常音ではない登録された音声パターンと同じであると判断した場合には、制御部１００は異常は発生していないと判断し、ステップＳ２０４からの処理がくりかえされることになる。また、ステップＳ２１０において、異常音ではない登録された音声パターンと同じではないと判断したときには、制御部１００は、その直後のステップＳ２０７からの処理を繰り返す。
【手続補正２７】
【補正対象書類名】明細書
【補正対象項目名】０１３５
【補正方法】変更
【補正の内容】
【０１３５】
図６は、音声の放音と集音についての自己チェックの方式を説明するための図である。図３を用いて説明したように、クライアント装置２の制御部２００は、スイッチ回路ＳＷＬ、ＳＷＲのそれぞれを別々に制御することが可能である。そこで、図６に示したように、例えば、クライアント装置２（１）の左スピーカＬ（１）に対応するスイッチ回路ＳＷＬを接続端ａ側に切り替えて、クライアント装置１の左スピーカＬ（１）だけから所定の音声を放音し、それ以外のスピーカを集音手段として用いてスピーカＬ（１）からの音声を集音する。
【手続補正２８】
【補正対象書類名】図面
【補正対象項目名】図６
【補正方法】変更
【補正の内容】
【図６】
2005328410.tif 000012